(57)【特許請求の範囲】
【請求項１】
ＡＶデータの映像を表示し、そのＡＶデータの音声をメインスピーカに出力する親画面と、ＡＶデータの映像を表示し、そのＡＶデータの音声を前記メインスピーカに出力しない子画面から構成されているマルチ画面に複数チャンネルのＡＶデータを表示するためのデータを作成するマルチチャンネル表示用データ作成装置であって、
トランスポートストリームのトランスポートパケットを利用して送られてくる、複数チャンネルのＡＶデータを入力する入力手段と、
前記複数チャンネルのうち、前記親画面に表示するチャンネルのＰＣＲと、前記子画面のうち前記親画面の次候補となっている前記子画面に表示するチャンネルのＰＣＲとを抽出する２個のＰＣＲ抽出手段と、
前記親画面に表示するチャンネルのＰＣＲを利用して、前記親画面に表示するチャンネルとＰＬＬ同期をとる１個のＰＬＬ手段と、
前記ＰＬＬ手段の発信周波数で前記親画面に表示するチャンネルの時刻をカウントする１個のＳＴＣカウンタ手段と、
前記親画面に表示するチャンネルのＡＶデータについては、前記ＳＴＣカウンタ手段とＡＶ同期をとりながら、ＡＶデコードし、前記子画面に表示するチャンネルのＡＶデータについては、ＡＶ同期をとらずにＡＶデコードするＡＶデコード手段と、
前記ＡＶデコードされたＡＶデータを出力する出力手段とを備え、
前記親画面の次候補となっている前記子画面のチャンネルが親画面に切り替えられると、前記ＰＬＬ手段は、それまでに抽出していた前記親画面の次候補となっている前記子画面に表示するチャンネルのＰＣＲを利用してそのチャンネルのＰＬＬ同期をとり、前記ＳＴＣカウンタ手段はそのチャンネルの時刻を再現し、
前記出力されたＡＶデータは、前記マルチ画面で表示される、ことを特徴とするマルチチャンネル表示用データ作成装置。
【請求項２】
前記ＰＬＬ手段は、自らが有する発信器の発信周波数でカウントするカウンタを有し、前記ＰＣＲ抽出手段が最初に抽出した、ＰＬＬ同期をとるべきチャンネルのＰＣＲの値と前記ＰＣＲ抽出手段がそのＰＣＲを抽出した時の前記カウンタのカウント値との第１の差分を求めて保持し、
前記ＰＣＲ抽出手段が２回目以降に抽出した、前記ＰＬＬ同期をとるべきチャンネルのＰＣＲの値と前記ＰＣＲ抽出手段がそのＰＣＲを抽出した時の前記カウンタのカウント値との第２の差分を求め、
前記第１の差分と前記第２の差分との差が少なくなるように発振周波数を制御する、ことを特徴とする請求項１に記載のマルチチャンネル表示用データ作成装置。
【請求項３】
前記入力手段は、前記複数チャンネル毎に、同一のＰＣＲが付加されており、トランスポートストリームのトランスポートパケットを利用して送られてくる、複数チャンネルのＡＶデータを入力し、
前記ＰＣＲ抽出手段は、前記複数チャンネルのうち、前記親画面に表示するチャンネルのＰＣＲと、前記子画面のうち前記親画面の次候補となっている前記子画面に表示するチャンネルのＰＣＲとを抽出し、
前記ＰＬＬ手段は、前記親画面に表示するチャンネルのＰＣＲを利用して、前記親画面に表示するチャンネルのＰＬＬ同期をとり、
前記ＳＴＣカウンタ手段は、前記ＰＬＬ手段の発信周波数で前記親画面に表示するチャンネルの時刻をカウントし、
前記ＡＶデコード手段は、前記複数のチャンネルのうち、前記親画面に表示するチャンネルに含まれるチャンネルのＡＶデータについては、前記ＳＴＣカウンタ手段とＡＶ同期をとりながら、ＡＶデコードし、前記子画面に表示するチャンネルのうち、前記親画面に表示するチャンネルに含まれないチャンネルのＡＶデータについては、ＡＶ同期をとらずにＡＶデコードし、
前記親画面の次候補となっている前記子画面のチャンネルが親画面に切り替えられると、前記ＰＬＬ手段は、それまでに抽出していたＰＣＲを利用してそのチャンネルのＰＬＬ同期をとり、前記ＳＴＣカウンタ手段はそのチャンネルの時刻を再現する、ことを特徴とする請求項１記載のマルチチャンネル表示用データ作成装置。
【請求項４】
ＡＶデータの映像を表示し、そのＡＶデータの音声をメインスピーカに出力する親画面と、ＡＶデータの映像を表示し、そのＡＶデータの音声を前記メインスピーカに出力しない子画面から構成されているマルチ画面に複数チャンネルのＡＶデータを表示するためのデータを作成するマルチチャンネル表示用データ作成装置で用いられるマルチチャンネル表示用データ作成方法であって、
前記マルチチャンネル表示用データ作成装置は、
トランスポートストリームのトランスポートパケットを利用して送られてくる、複数チャンネルのＡＶデータを入力する入力手段と、
前記複数チャンネルのうち、前記親画面に表示するチャンネルのＰＣＲと、前記子画面のうち前記親画面の次候補となっている前記子画面に表示するチャンネルのＰＣＲとを抽出する２個のＰＣＲ抽出手段と、
前記親画面に表示するチャンネルのＰＣＲを利用して、前記親画面に表示するチャンネルとＰＬＬ同期をとる１個のＰＬＬ手段と、
前記ＰＬＬ手段の発信周波数で前記親画面に表示するチャンネルの時刻をカウントする１個のＳＴＣカウンタ手段と、
前記親画面に表示するチャンネルのＡＶデータについては、前記ＳＴＣカウンタ手段とＡＶ同期をとりながら、ＡＶデコードし、前記子画面に表示するチャンネルのＡＶデータについては、ＡＶ同期をとらずにＡＶデコードするＡＶデコード手段と、
前記ＡＶデコードされたＡＶデータを出力する出力手段とを備え、
前記親画面の次候補となっている前記子画面のチャンネルが親画面に切り替えられると、前記ＰＬＬ手段は、それまでに抽出していた前記親画面の次候補となっている前記子画面に表示するチャンネルのＰＣＲを利用してそのチャンネルのＰＬＬ同期をとり、前記ＳＴＣカウンタ手段はそのチャンネルの時刻を再現し、
前記出力されたＡＶデータを、前記マルチ画面で表示する、ことを特徴とするマルチチャンネル表示用データ作成方法。
【請求項５】
前記ＰＬＬ手段は、自らが有する発信器の発信周波数でカウントするカウンタを有し、前記ＰＣＲ抽出手段が最初に抽出した、ＰＬＬ同期をとるべきチャンネルのＰＣＲの値と前記ＰＣＲ抽出手段がそのＰＣＲを抽出した時の前記カウンタのカウント値との第１の差分を求めて保持し、
前記ＰＣＲ抽出手段が２回目以降に抽出した、前記ＰＬＬ同期をとるべきチャンネルのＰＣＲの値と前記ＰＣＲ抽出手段がそのＰＣＲを抽出した時の前記カウンタのカウント値との第２の差分を求め、
前記第１の差分と前記第２の差分との差が少なくなるように発振周波数を制御する、ことを特徴とする請求項４に記載のマルチチャンネル表示用データ作成方法。
【請求項６】
前記入力手段は、前記複数チャンネル毎に、同一のＰＣＲが付加されており、トランスポートストリームのトランスポートパケットを利用して送られてくる、複数チャンネルのＡＶデータを入力し、
前記ＰＣＲ抽出手段は、前記複数チャンネルのうち、前記親画面に表示するチャンネルのＰＣＲと、前記子画面のうち前記親画面の次候補となっている前記子画面に表示するチャンネルのＰＣＲとを抽出し、
前記ＰＬＬ手段は、前記親画面に表示するチャンネルのＰＣＲを利用して、前記親画面に表示するチャンネルのＰＬＬ同期をとり、
前記ＳＴＣカウンタ手段は、前記ＰＬＬ手段の発信周波数で前記親画面に表示するチャンネルの時刻をカウントし、
前記ＡＶデコード手段は、前記複数のチャンネルのうち、前記親画面に表示するチャンネルに含まれるチャンネルのＡＶデータについては、前記ＳＴＣカウンタ手段とＡＶ同期をとりながら、ＡＶデコードし、前記子画面に表示するチャンネルのうち、前記親画面に表示するチャンネルに含まれないチャンネルのＡＶデータについては、ＡＶ同期をとらずにＡＶデコードし、
前記親画面の次候補となっている前記子画面のチャンネルが親画面に切り替えられると、前記ＰＬＬ手段は、それまでに抽出していたＰＣＲを利用してそのチャンネルのＰＬＬ同期をとり、前記ＳＴＣカウンタ手段はそのチャンネルの時刻を再現する、ことを特徴とする請求項４に記載のマルチチャンネル表示用データ作成方法。
【請求項７】
前記ＰＬＬ手段は、自らが有する発信器の発信周波数でカウントするカウンタを有し、前記ＰＣＲ抽出手段が最初に抽出した、ＰＬＬ同期をとるべきチャンネルのＰＣＲの値と前記ＰＣＲ抽出手段がそのＰＣＲを抽出した時の前記カウンタのカウント値との第１の差分を求めて保持し、
前記ＰＣＲ抽出手段が２回目以降に抽出した、前記ＰＬＬ同期をとるべきチャンネルのＰＣＲの値と前記ＰＣＲ抽出手段がそのＰＣＲを抽出した時の前記カウンタのカウント値との第２の差分を求め、
前記第１の差分と前記第２の差分との差が少なくなるように発振周波数を制御する、ことを特徴とする請求項３に記載のマルチチャンネル表示用データ作成装置。
【請求項８】
前記ＰＬＬ手段は、自らが有する発信器の発信周波数でカウントするカウンタを有し、前記ＰＣＲ抽出手段が最初に抽出した、ＰＬＬ同期をとるべきチャンネルのＰＣＲの値と前記ＰＣＲ抽出手段がそのＰＣＲを抽出した時の前記カウンタのカウント値との第１の差分を求めて保持し、
前記ＰＣＲ抽出手段が２回目以降に抽出した、前記ＰＬＬ同期をとるべきチャンネルのＰＣＲの値と前記ＰＣＲ抽出手段がそのＰＣＲを抽出した時の前記カウンタのカウント値との第２の差分を求め、
前記第１の差分と前記第２の差分との差が少なくなるように発振周波数を制御する、ことを特徴とする請求項６に記載のマルチチャンネル表示用データ作成方法。
【発明の詳細な説明】
【０００１】
【発明の属する技術分野】
本発明は、複数チャンネルのＡＶデータを表示する複数画面から構成されているマルチ画面にＡＶデータを表示するためのデータを作成するマルチチャンネル表示用データ作成装置に関するものである。
【０００２】
【従来の技術】
ディジタル放送は、ＢＳ（Ｂｒｏａｄｃａｓｔｉｎｇ  Ｓａｔｅｌｌｉｔｅ）放送やＣＳ（Ｃｏｍｍuｎｉｃａｔｉｏｎｓ  Ｓａｔｅｌｌｉｔｅ）放送、ＣＡＴＶ放送など多様な放送形態で行われるようになった。これらの放送では、一般に多チャンネルで放送が行われる。従って、視聴する番組を選択する選択枝も増加した。
【０００３】
このような状況にあって、番組を視聴するために、テレビ画面を複数画面から構成し、複数チャンネルのＡＶデータをこれら複数画面に同時に表示するマルチチャンネル表示が普及してきた。
【０００４】
通常、マルチチャンネル表示では、ＡＶデータの映像を表示し、そのＡＶデータの音声をメインスピーカに出力する親画面と、ＡＶデータの映像を表示し、そのＡＶデータの音声をメインスピーカに出力しない子画面から構成されている。マルチチャンネル表示を行えば、同時に複数チャンネルで放送されている映像を視聴することが出来る。例えば、親画面に表示されている映画を視聴しながら、子画面に表示されているプロ野球中継を見て、試合の流れを把握するといったことが可能である。
【０００５】
このように、マルチチャンネル表示は、複数のチャンネルで放送されている番組を同時に視聴することが出来るので、多チャンネル放送に適した番組の表示方法であると言える。
【０００６】
このような、マルチチャンネル表示を行うためのデータを作成する従来のマルチチャンネル表示用データ作成装置としてＳＴＢ（Ｓｅｔ  Ｔｏｐ  Ｂｏｘ）を例にあげて説明する。
【０００７】
図１７は、マルチチャンネル表示を行うためのデータを作成するＳＴＢの構成を示すブロック図である。図１８は図１７に示すＳＴＢが作成したマルチチャンネル表示を行うためのデータをテレビ画面に表示した例を示す図である。
【０００８】
図１８では、テレビ画面１０３は、４画面から構成されている。親画面１０４は、映像を表示し、音声をメインスピーカに出力する画面である。子画面１０５、子画面１０６、子画面１０７は、映像を表示し、音声をメインスピーカに出力しない子画面である。
【０００９】
図１７に戻って、ＳＴＢ１００は、ＢＳチューナ４、ＩＥＥＥ１３９４インターフェース５、トランスポートデコーダ１０１、ＡＶデコーダ１０２から構成される。
【００１０】
また、トランスポートデコーダ１０１は４個のＰＣＲ抽出部１１ａ〜ｄ、４個のＰＬＬ部１２ａ〜ｄを有する。ＡＶデコーダ１０２は、４個のＳＴＣカウンタ１３ａ〜ｄを有する。
【００１１】
ＢＳチューナ４は、ＢＳ放送を受信する手段である。ＩＥＥＥ１３９４インターフェース５は、ＳＴＢ１００の外部にあるＩＥＥＥ１３９４バス３を介して外部機器とデータやコマンドをやりとりする手段である。トランスポートデコーダ１０１はＩＥＥＥ１３９４バスを介して送られてきたＭＰＥＧ２トランスポートストリームを分離する手段である。ＡＶデコーダ１０２は、ＭＰＥＧ２圧縮されているＡＶデータを伸長し、アナログ信号を生成する手段である。
【００１２】
ＰＣＲ抽出部１１ａ〜ｄは、テレビ画面１０３の各画面に表示するチャンネルのＡＶデータからＰＣＲ（Ｐｒｏｇｒａｍ  Ｃｌｏｃｋ  Ｒｅｆｅｒｅｎｎｃｅ）を抽出する手段である。ＰＬＬ部１２ａ〜ｄは、ＰＣＲ抽出部１１ａ〜ｄで抽出したＰＣＲを用いて、ＰＬＬ同期をとる手段である。すなわち、放送局の符号器がデータを符号化する際に時刻基準として用いた２７ＭＨｚの周波数の発振器と発信周波数を同期させる手段である。ＳＴＣカウンタ１３ａ〜ｄは、ＰＬＬ部１２ａ〜ｄから得られる２７ＭＨｚのクロックと、ＰＣＲ抽出部１１ａ〜ｄで抽出したＰＣＲの値から、放送局の符号器がデータを符号化する際に用いた時刻を再現する手段である。
【００１３】
また、ＳＴＢ１００には、アンテナ６が接続されており、また、ＩＥＥＥ１３９４インターフェース５にＩＥＥＥ１３９４バス３が接続され、そのＩＥＥＥ１３９４バス３には、ＣＳチューナ７、ＤＶＨＳ８が接続されている。
【００１４】
次に、このような従来のＳＴＢ１００の動作を説明する。
【００１５】
ＢＳ放送の放送局から送信されてきた放送波は、アンテナ６で電気信号に変換される。そしてＢＳチューナ４は、電気信号に変換された放送波を受信し、復調する。なお、番組のデータはＭＰＥＧ２トランスポートストリームのトランスポートパケットを利用して送られてくるものとする。
【００１６】
復調されたデータは、トランスポートデコーダ１０１に渡される。
【００１７】
トランスポートデコーダ１０１は、ＭＰＥＧ２トランスポートストリームを分離する。その際、トランスポートデコーダ１０１は、次のことを行う。
【００１８】
すなわち、テレビ画面１０３の各画面に表示するチャンネルのＡＶデータから、ＰＣＲを抽出する。テレビ画面１０３には、親画面１０４、子画面１０５〜１０７の合計４つの画面がある。従って、この４つの画面に表示するチャンネルのＡＶデータからＰＣＲを抽出する。
【００１９】
具体的に説明すると、ＰＣＲ抽出部１１ａは、親画面１０４に表示するチャンネルのＡＶデータのＰＣＲを抽出する。ＰＣＲ抽出部１１ｂは、子画面１０５に表示するチャンネルのＡＶデータのＰＣＲを抽出する。ＰＣＲ抽出部１１ｃは、子画面１０６に表示するチャンネルのＡＶデータのＰＣＲを抽出する。ＰＣＲ抽出部１１ｄは、子画面１０７に表示するチャンネルのＰＣＲを抽出する。
【００２０】
さらに、このようにして、抽出された各チャンネルのＰＣＲを用いて、ＰＬＬ部１２ａ〜ｄは、ＰＬＬ同期をとる。すなわち、放送局の符号器がデータを符号化する際に時刻基準として用いた２７ＭＨｚの周波数の発振器と発信周波数を同期させる。ＰＬＬ部１２ａは、親画面１０４に表示するチャンネルとＰＬＬ同期をとる。同様に、ＰＬＬ部１２ｂは子画面１０５、同じくＰＬＬ部１２ｃは子画面１０６、同じくＰＬＬ部１２ｄは子画面１０６に表示するチャンネルとＰＬＬ同期をとる。
【００２１】
ＳＴＣカウンタ１３ａ〜ｄは、ＰＬＬ部１２ａ〜ｄから得られる２７ＭＨｚのクロックと、ＰＣＲ抽出部１１ａ〜ｄで抽出したＰＣＲの値から、放送局の符号器がデータを符号化する際に用いた時刻を再現する。すなわち、ＳＴＣカウンタ１３ａは、親画面１０４に表示するチャンネルの時刻を再現する。同様に、ＳＴＣカウンタ１３ｂは子画面１０５、同じくＳＴＣカウンタ１３ｃは子画面１０６、同じくＳＴＣカウンタ１３ｄは子画面１０７に表示するチャンネルの時刻を再現する。このようなＳＴＣカウンタ１３ａ〜ｄを用いて、チャンネル毎に、ＡＶ同期を取りながらＡＶデコーダ１０２は、圧縮されているＭＰＥＧ形式のデータを伸長し、アナログ信号に変換する。すなわち、チャンネル毎に、データに記載されているＰＴＳ（Ｐｒｅｓｅｎｔａｔｉｏｎ  Ｔｉｍｅ  Ｓｔａｍｐ）が、そのデータのチャンネルのＳＴＣカウンタ１３の示す時刻と一致したタイミングでその部分のデータを伸長し、アナログ信号に変換する。
【００２２】
このようにして得られたアナログ信号をビデオ信号とオーディオ信号として出力する。親画面１０４、子画面１０５〜１０７の４つの画面には映像が表示され、また、親画面１０４に表示するチャンネルの音声は、メインスピーカから出力される。
【００２３】
このように、従来のＳＴＢ１００は、マルチ画面の各画面に表示するチャンネル毎のＰＣＲを利用して、チャンネル毎に別々にＡＶ同期をとっていた。すなわち、チャンネル毎にＰＣＲ抽出部、ＰＬＬ部、ＳＴＣカウンタを備えて、画面単位に処理を行っていた。すなわち、マルチ画面の画面数が４画面の場合、ＰＣＲ抽出部、ＰＬＬ部、ＳＴＣカウンタを４セット備えて処理を行っていた。
【００２４】
【発明が解決しようとする課題】
しかしながら、従来のマルチチャンネル表示用データ作成装置では、マルチ画面の画面数と同じ個数のＰＣＲ抽出部、ＰＬＬ部、ＳＴＣカウンタのセットを備えて、チャンネル毎に別々にＡＶ同期をとっているので、ＰＣＲ抽出部、ＰＬＬ部の回路規模が大きくなり、ＡＶ同期制御が複雑になるという課題がある。
【００２５】
本発明は、上記課題を考慮し、回路規模が大きくないマルチチャンネル表示用データ作成装置を提供することを目的とするものである。
【００２６】
【課題を解決するための手段】
上述した課題を解決するために、第１の本発明（請求項１に対応）は、複数チャンネルのＡＶデータを表示する複数画面から構成されているマルチ画面にＡＶデータを表示するためのデータを作成するマルチチャンネル表示用データ作成装置であって、
トランスポートストリームのトランスポートパケットを利用して送られてくる、複数チャンネルのＡＶデータを入力する入力手段と、
前記複数画面に表示する複数のチャンネルのＰＣＲを時分割で抽出する、前記複数の画面の数より少ない個数のＰＣＲ抽出手段と、
前記抽出されたＰＣＲを利用して、ＰＬＬ同期をとる、前記複数の画面の数と同じ個数のＰＬＬ手段と、
前記ＰＬＬ手段の発信周波数で前記複数の画面に表示するチャンネルの時刻をカウントする、前記複数の画面の数と同じ個数のＳＴＣカウンタ手段と、
前記マルチ画面に表示するチャンネルのＡＶデータを前記ＳＴＣカウンタ手段とＡＶ同期をとりながら、ＡＶデコードするＡＶデコード手段と、
前記ＡＶデコードされたＡＶデータを出力する出力手段とを備え、
前記出力されたＡＶデータは、前記マルチ画面で表示されることを特徴とするマルチチャンネル表示用データ作成装置である。
【００２７】
また、第２の本発明（請求項２に対応）は、ＡＶデータの映像を表示し、そのＡＶデータの音声をメインスピーカに出力する親画面と、ＡＶデータの映像を表示し、そのＡＶデータの音声を前記メインスピーカに出力しない子画面から構成されているマルチ画面に複数チャンネルのＡＶデータを表示するためのデータを作成するマルチチャンネル表示用データ作成装置であって、
トランスポートストリームのトランスポートパケットを利用して送られてくる、複数チャンネルのＡＶデータを入力する入力手段と、
前記複数チャンネルのうち、前記親画面に表示するチャンネルのＰＣＲを抽出するＰＣＲ抽出手段と、
前記抽出されたＰＣＲを利用して、ＰＬＬ同期をとるＰＬＬ手段と、
前記ＰＬＬ手段の発信周波数で前記親画面に表示するチャンネルの時刻をカウントするＳＴＣ（Ｓｙｓｔｅｍ  Ｔｉｍｅ  Ｃｌｏｃｋ）カウンタ手段と、
前記親画面に表示するチャンネルのＡＶデータについては、前記ＳＴＣカウンタ手段とＡＶ同期をとりながら、ＡＶデコードし、前記子画面に表示するチャンネルのＡＶデータについては、ＡＶ同期をとらずにＡＶデコードするＡＶデコード手段と、
前記ＡＶデコードされたＡＶデータを出力する出力手段とを備え、
前記出力されたＡＶデータは、前記マルチ画面で表示されることを特徴とするマルチチャンネル表示用データ作成装置である。
【００２８】
また、第３の本発明（請求項３に対応）は、ＡＶデータの映像を表示し、そのＡＶデータの音声をメインスピーカに出力する親画面と、ＡＶデータの映像を表示し、そのＡＶデータの音声を前記メインスピーカに出力しない子画面から構成されているマルチ画面に複数チャンネルのＡＶデータを表示するためのデータを作成するマルチチャンネル表示用データ作成装置であって、
トランスポートストリームのトランスポートパケットを利用して送られてくる、複数チャンネルのＡＶデータを入力する入力手段と、
前記複数チャンネルのうち、前記親画面に表示するチャンネルのＰＣＲを抽出し、新たにチャンネルが選択され、前記子画面にそのチャンネルのＡＶデータが最初に表示される時に、所定の時間だけ、前記子画面に表示するチャンネルのＰＣＲを抽出する１個のＰＣＲ抽出手段と、
前記抽出されたＰＣＲを利用して、ＰＬＬ同期をとるＰＬＬ手段と、
前記ＰＬＬ手段の発信周波数で前記親画面に表示するチャンネルの時刻をカウントし、新たにチャンネルが選択され、前記子画面にそのチャンネルのＡＶデータが最初に表示される時に、所定の時間だけ、そのＰＣＲを用いてそのチャンネルの時刻を再現するＳＴＣ（Ｓｙｓｔｅｍ  Ｔｉｍｅ  Ｃｌｏｃｋ）カウンタ手段と、
前記親画面に表示するチャンネルのＡＶデータについては、前記ＳＴＣカウンタ手段とＡＶ同期をとりながら、ＡＶデコードし、新たにチャンネルが選択され、前記子画面にそのチャンネルのＡＶデータが最初に表示される時に、所定の時間だけ、そのチャンネルのＡＶデータについてＡＶ同期を取りながらＡＶデコードするＡＶデコード手段と、
前記ＡＶデコードされたＡＶデータを出力する出力手段とを備え、
前記出力されたＡＶデータは、前記マルチ  画面で表示されることを特徴とするマルチチャンネル表示用データ作成装置である。
【００２９】
また、第４の本発明（請求項４に対応）は、ＡＶデータの映像を表示し、そのＡＶデータの音声をメインスピーカに出力する親画面と、ＡＶデータの映像を表示し、そのＡＶデータの音声を前記メインスピーカに出力しない子画面から構成されているマルチ画面に複数チャンネルのＡＶデータを表示するためのデータを作成するマルチチャンネル表示用データ作成装置であって、
トランスポートストリームのトランスポートパケットを利用して送られてくる、複数チャンネルのＡＶデータを入力する入力手段と、
前記複数チャンネルのうち、前記親画面に表示するチャンネルのＰＣＲと、前記子画面のうち前記親画面の次候補となっている前記子画面に表示するチャンネルのＰＣＲとを抽出する２個のＰＣＲ抽出手段と、
前記親画面に表示するチャンネルの前記抽出されたＰＣＲと前記親画面の次候補となっている前記子画面に表示するチャンネルのＰＣＲとＰＬＬ同期をとる２個のＰＬＬ手段と、
前記ＰＬＬ手段の発信周波数で前記親画面に表示するチャンネルの時刻と、前記親画面の次候補となっている前記子画面に表示するチャンネルの時刻をカウントする２個のＳＴＣカウンタ手段と、
前記親画面に表示するチャンネルのＡＶデータと前記親画面の次候補となっている前記子画面に表示するチャンネルのＡＶデータについては、前記ＳＴＣカウンタ手段とＡＶ同期をとりながら、ＡＶデコードし、それ以外の前記子画面に表示するチャンネルのＡＶデータについては、ＡＶ同期をとらずにＡＶデコードするＡＶデコード手段と、
前記ＡＶデコードされたＡＶデータを出力する出力手段とを備え、
前記出力されたＡＶデータは、前記マルチ画面で表示されることを特徴とするマルチチャンネル表示用データ作成装置である。
【００３０】
また、第５の本発明（請求項５に対応）は、ＡＶデータの映像を表示し、そのＡＶデータの音声をメインスピーカに出力する親画面と、ＡＶデータの映像を表示し、そのＡＶデータの音声を前記メインスピーカに出力しない子画面から構成されているマルチ画面に複数チャンネルのＡＶデータを表示するためのデータを作成するマルチチャンネル表示用データ作成装置であって、
トランスポートストリームのトランスポートパケットを利用して送られてくる、複数チャンネルのＡＶデータを入力する入力手段と、
前記複数チャンネルのうち、前記親画面に表示するチャンネルのＰＣＲと、前記子画面に表示するチャンネルのＰＣＲとを時分割で抽出する１個のＰＣＲ抽出手段と、
前記親画面に表示するチャンネルの前記抽出されたＰＣＲを利用して、ＰＬＬ同期をとる１個のＰＬＬ手段と、
前記ＰＬＬ手段の発信周波数で前記親画面及び前記子画面に表示するチャンネルの時刻をカウントする、前記マルチ画面の画面の数と同じ個数のＳＴＣカウンタ手段と、
前記ＳＴＣカウンタ手段とＡＶ同期をとりながら、ＡＶデコードするＡＶデコード手段と、
前記ＡＶデコードされたＡＶデータを出力する出力手段とを備え、
前記出力されたＡＶデータは、前記マルチ画面で表示されることを特徴とするマルチチャンネル表示用データ作成装置である。
【００３１】
また、第６の本発明（請求項６に対応）は、ＡＶデータの映像を表示し、そのＡＶデータの音声をメインスピーカに出力する親画面と、ＡＶデータの映像を表示し、そのＡＶデータの音声を前記メインスピーカに出力しない子画面から構成されているマルチ画面に複数チャンネルのＡＶデータを表示するためのデータを作成するマルチチャンネル表示用データ作成装置であって、
トランスポートストリームのトランスポートパケットを利用して送られてくる、複数チャンネルのＡＶデータを入力する入力手段と、
前記複数チャンネルのうち、前記親画面に表示するチャンネルのＰＣＲと、前記子画面のうち前記親画面の次候補となっている前記子画面に表示するチャンネルのＰＣＲとを抽出する２個のＰＣＲ抽出手段と、
前記抽出されたＰＣＲを利用して、前記親画面に表示するチャンネルとＰＬＬ同期をとる１個のＰＬＬ手段と、
前記ＰＬＬ手段の発信周波数で前記親画面に表示するチャンネルの時刻をカウントする１個のＳＴＣカウンタ手段と、
前記親画面に表示するチャンネルのＡＶデータについては、前記ＳＴＣカウンタ手段とＡＶ同期をとりながら、ＡＶデコードし、前記子画面に表示するチャンネルのＡＶデータについては、ＡＶ同期をとらずにＡＶデコードするＡＶデコード手段と、
前記ＡＶデコードされたＡＶデータを出力する出力手段とを備え、
前記親画面の次候補となっている前記子画面のチャンネルが親画面に切り替えられると、前記ＰＬＬ手段は、それまでに抽出していたＰＣＲを利用してそのチャンネルのＰＬＬ同期をとり、前記ＳＴＣカウンタ手段はそのチャンネルの時刻を再現し、
前記出力されたＡＶデータは、前記マルチ画面で表示されることを特徴とするマルチチャンネル表示用データ作成装置である。
【００３２】
また、第７の本発明（請求項７に対応）は、ＡＶデータの映像を表示し、そのＡＶデータの音声をメインスピーカに出力する親画面と、ＡＶデータの映像を表示し、そのＡＶデータの音声を前記メインスピーカに出力しない子画面から構成されているマルチ画面に複数チャンネルのＡＶデータを表示するためのデータを作成するマルチチャンネル表示用データ作成装置であって、
トランスポートストリームのトランスポートパケットを利用して送られてくる、複数チャンネルのＡＶデータを入力する入力手段と、
前記複数チャンネルのうち、前記親画面に表示するチャンネルのＰＣＲと、前記子画面のうち前記親画面の次候補となっている前記子画面に表示するチャンネルのＰＣＲとを抽出する２個のＰＣＲ抽出手段と、
前記抽出されたＰＣＲを利用して、前記親画面に表示するチャンネルとＰＬＬ同期をとる１個のＰＬＬ手段と、
前記ＰＬＬ手段の発信周波数で前記親画面に表示するチャンネルの時刻と、前記子画面のうち前記親画面の次候補となっている前記子画面に表示するチャンネルの時刻をカウントする２個のＳＴＣカウンタ手段と、
前記親画面に表示するチャンネルのＡＶデータと前記親画面の次候補となっている前記子画面に表示するチャンネルのＡＶデータとを前記ＳＴＣカウンタ手段とＡＶ同期をとりながら、ＡＶデコードし、それ以外の前記子画面に表示するチャンネルのＡＶデータについては、ＡＶ同期をとらずにＡＶデコードするＡＶデコード手段と、
前記ＡＶデコードされたＡＶデータを出力する出力手段とを備え、
前記出力されたＡＶデータは、前記マルチ画面で表示されることを特徴とするマルチチャンネル表示用データ作成装置である。
【００３３】
また、第８の本発明（請求項８に対応）は、ＡＶデータの映像を表示し、そのＡＶデータの音声をメインスピーカに出力する親画面と、ＡＶデータの映像を表示し、そのＡＶデータの音声を前記メインスピーカに出力しない子画面から構成されているマルチ画面に複数チャンネルのＡＶデータを表示するためのデータを作成するマルチチャンネル表示用データ作成装置であって、
トランスポートストリームのトランスポートパケットを利用して送られてくる、複数チャンネルのＡＶデータを入力する入力手段と、
前記複数チャンネルのうち、前記親画面及び前記子画面に表示するチャンネルのＰＣＲを抽出する、前記マルチ画面の画面の数と同じ個数のＰＣＲ抽出手段と、
前記抽出されたＰＣＲを利用して、前記親画面に表示するチャンネルとＰＬＬ同期をとる１個のＰＬＬ手段と、
前記ＰＬＬ手段の発信周波数で前記親画面及び前記子画面に表示するチャンネルの時刻をカウントする、前記マルチ画面の画面の数と同じ個数のＳＴＣカウンタ手段と、
前記親画面及び子画面に表示するチャンネルのＡＶデータを前記ＳＴＣカウンタ手段とＡＶ同期をとりながら、ＡＶデコードするＡＶデコード手段と、
前記ＡＶデコードされたＡＶデータを出力する出力手段とを備え、
前記出力されたＡＶデータは、前記マルチ画面で表示されることを特徴とするマルチチャンネル表示用データ作成装置である。
【００３４】
また、第９の本発明（請求項９に対応）は、ＡＶデータの映像を表示し、そのＡＶデータの音声をメインスピーカに出力する親画面と、ＡＶデータの映像を表示し、そのＡＶデータの音声を前記メインスピーカに出力しない子画面から構成されているマルチ画面に複数チャンネルのＡＶデータを表示するためのデータを作成するマルチチャンネル表示用データ作成装置であって、
トランスポートストリームのトランスポートパケットを利用して送られてくる、複数チャンネルのＡＶデータを入力する入力手段と、
前記複数チャンネルのうち、前記親画面及び前記子画面に表示するチャンネルのＰＣＲを抽出する、前記マルチ画面の画面の数と同じ個数のＰＣＲ抽出手段と、
前記抽出されたＰＣＲを利用して、前記親画面に表示するチャンネルとＰＬＬ同期をとる１個のＰＬＬ手段と、
前記ＰＬＬ手段の発信周波数で前記親画面に表示するチャンネルの時刻をカウントする１個のＳＴＣカウンタ手段と、
前記子画面に表示するチャンネルのＡＶデータのＰＣＲが到着した際に、前記ＳＴＣカウンタ手段の値との差分を計算する差分計算手段と、
前記親画面に表示するチャンネルのＡＶデータについては、前記ＳＴＣカウンタ手段とＡＶ同期をとりながら、ＡＶデコードし、それ以外の前記子画面に表示するチャンネルのＡＶデータについては、前記差分を前記ＳＴＣカウンタ手段のカウント値に加えた値とＡＶ同期をとりながらＡＶデコードするＡＶデコード手段と、
前記ＡＶデコードされたＡＶデータを出力する出力手段とを備え、
前記出力されたＡＶデータは、前記マルチ画面で表示されることを特徴とするマルチチャンネル表示用データ作成装置である。
【００３５】
また、第１０の本発明（請求項１０に対応）は、ＡＶデータの映像を表示し、そのＡＶデータの音声をメインスピーカに出力する親画面と、ＡＶデータの映像を表示し、そのＡＶデータの音声を前記メインスピーカに出力しない子画面から構成されているマルチ画面に複数チャンネルのＡＶデータを表示するためのデータを作成するマルチチャンネル表示用データ作成装置であって、
トランスポートストリームのトランスポートパケットを利用して送られてくる、複数チャンネルのＡＶデータを入力する入力手段と、
前記複数チャンネルのうち、前記親画面及び前記子画面に表示するチャンネルのＰＣＲを抽出する、前記マルチ画面の画面の数と同じ個数のＰＣＲ抽出手段と、
前記抽出されたＰＣＲを利用して、前記親画面に表示するチャンネルとＰＬＬ同期をとる１個のＰＬＬ手段と、
前記ＰＬＬ手段の発信周波数で前記親画面に表示するチャンネルの時刻をカウントする１個のＳＴＣカウンタ手段と、
前記子画面に表示するチャンネルのＡＶデータのＰＣＲが到着した際に、前記ＳＴＣカウンタ手段の値との差分を計算する差分計算手段と、
前記子画面に表示するチャンネルのＡＶデータについては、そのＡＶデータのタイムスタンプの値を前記差分を差し引いた値に書き替えるタイムスタンプ書き替え手段と、
前記親画面に表示するチャンネルのＡＶデータについては、前記ＳＴＣカウンタ手段とＡＶ同期をとりながら、ＡＶデコードし、それ以外の前記子画面に表示するチャンネルのＡＶデータについては、前記書き替えられたタイムスタンプと前記ＳＴＣカウンタ手段とでＡＶ同期をとりながらＡＶデコードするＡＶデコード手段と、
前記ＡＶデコードされたＡＶデータを出力する出力手段とを備え、
前記出力されたＡＶデータは、前記マルチ画面で表示されることを特徴とするマルチチャンネル表示用データ作成装置である。
【００３６】
また、第１１の本発明（請求項１１に対応）は、前記ＰＣＲ抽出手段の個数は２個であることに代え、前記ＰＣＲ抽出手段の個数は１個であり、前記ＰＣＲ抽出手段は、前記複数チャンネルのうち、前記親画面に表示するチャンネルのＰＣＲと、前記子画面のうち前記親画面の次候補となっている前記子画面に表示するチャンネルのＰＣＲとを時分割で抽出することを特徴とする第４または６または７の本発明に記載のマルチチャンネル表示用データ作成装置である。
【００３７】
また、第１２の本発明（請求項１２に対応）は、前記ＰＬＬ手段は、自らが有する発信器の発信周波数でカウントするカウンタを有し、前記ＰＣＲ抽出手段が最初に抽出した、ＰＬＬ同期をとるべきチャンネルのＰＣＲの値と前記ＰＣＲ抽出手段がそのＰＣＲを抽出した時の前記カウンタのカウント値との第１の差分を求めて保持し、
前記ＰＣＲ抽出手段が２回目以降に抽出した、前記ＰＬＬ同期をとるべきチャンネルのＰＣＲの値と前記ＰＣＲ抽出手段がそのＰＣＲを抽出した時の前記カウンタのカウント値との第２の差分を求め、
前記第１の差分と前記第２の差分との差が少なくなるように発振周波数を制御することを特徴とする第２、３、５〜１１の本発明のいずれかに記載のマルチチャンネル表示用データ作成装置である。
【００３８】
また、第１３の本発明（請求項１３に対応）は、複数チャンネルのＡＶデータを表示する複数画面から構成されているマルチ画面にＡＶデータを表示するためのデータを作成するマルチチャンネル表示用データ作成装置であって、
前記複数チャンネルが属する所定の伝送単位毎に、同一のＰＣＲが付加されており、
トランスポートストリームのトランスポートパケットを利用して送られてくる、前記複数チャンネルのＡＶデータを入力する入力手段と、
前記複数画面に表示する前記複数チャンネルが属する前記所定の伝送単位のＰＣＲを前記所定の伝送単位毎に時分割で抽出する、前記複数の画面の数または前記複数の画面に表示する前記複数チャンネルが属する前記所定の伝送単位の数である表示伝送単位数より少ない個数のＰＣＲ抽出手段と、
前記抽出されたＰＣＲを利用して、少なくとも前記所定の伝送単位毎にＰＬＬ同期をとる、前記複数の画面の数または前記表示伝送単位数と同じ個数のＰＬＬ手段と、
前記ＰＬＬ手段の発信周波数で前記複数の画面に表示するチャンネルが属する前記所定の伝送単位毎の時刻をカウントする、前記複数の画面の数または前記表示伝送単位数と同じ個数のＳＴＣカウンタ手段と、
前記複数画面に表示するチャンネルのＡＶデータを前記複数画面に表示するチャンネルが属する前記所定の伝送単位に対応する前記ＳＴＣカウンタ手段とＡＶ同期をとりながら、ＡＶデコードするＡＶデコード手段と、
前記ＡＶデコードされたＡＶデータを出力する出力手段とを備え、
前記出力されたＡＶデータは、前記マルチ画面で表示されることを特徴とするマルチチャンネル表示用データ作成装置である。
【００３９】
また、第１４の本発明（請求項１４に対応）は、ＡＶデータの映像を表示し、そのＡＶデータの音声をメインスピーカに出力する親画面と、ＡＶデータの映像を表示し、そのＡＶデータの音声を前記メインスピーカに出力しない子画面から構成されているマルチ画面に複数チャンネルのＡＶデータを表示するためのデータを作成するマルチチャンネル表示用データ作成装置であって、
前記複数チャンネルが属する所定の伝送単位毎に、同一のＰＣＲが付加されており、
トランスポートストリームのトランスポートパケットを利用して送られてくる、複数チャンネルのＡＶデータを入力する入力手段と、
前記複数チャンネルのうち、前記親画面に表示するチャンネルが属する前記所定の伝送単位のＰＣＲを抽出するＰＣＲ抽出手段と、
前記抽出されたＰＣＲを利用して、ＰＬＬ同期をとるＰＬＬ手段と、
前記ＰＬＬ手段の発信周波数で前記親画面に表示するチャンネルが属する前記所定の伝送単位の時刻をカウントするＳＴＣ（Ｓｙｓｔｅｍ  Ｔｉｍｅ  Ｃｌｏｃｋ）カウンタ手段と、
前記複数チャンネルのうち、前記親画面に表示するチャンネルが属する前記所定の伝送単位に含まれるチャンネルのＡＶデータについては、前記ＳＴＣカウンタ手段とＡＶ同期をとりながら、ＡＶデコードし、前記子画面に表示するチャンネルのうち前記親画面に表示するチャンネルが属する前記所定の伝送単位には含まれないチャンネルのＡＶデータについては、ＡＶ同期をとらずにＡＶデコードするＡＶデコード手段と、
前記ＡＶデコードされたＡＶデータを出力する出力手段とを備え、
前記出力されたＡＶデータは、前記マルチ画面で表示されることを特徴とするマルチチャンネル表示用データ作成装置である。
【００４０】
また、第１５の本発明（請求項１５に対応）は、ＡＶデータの映像を表示し、そのＡＶデータの音声をメインスピーカに出力する親画面と、ＡＶデータの映像を表示し、そのＡＶデータの音声を前記メインスピーカに出力しない子画面から構成されているマルチ画面に複数チャンネルのＡＶデータを表示するためのデータを作成するマルチチャンネル表示用データ作成装置であって、
前記複数チャンネルが属する所定の伝送単位毎に、同一のＰＣＲが付加されており、
トランスポートストリームのトランスポートパケットを利用して送られてくる、複数チャンネルのＡＶデータを入力する入力手段と、
前記複数チャンネルのうち、前記親画面に表示するチャンネルが属する前記所定の伝送単位のＰＣＲを抽出し、新たにチャンネルが選択され、前記子画面にそのチャンネルのＡＶデータが最初に表示される時に、所定の時間だけ、前記子画面に表示するチャンネルが属する前記所定の伝送単位のＰＣＲを抽出する１個のＰＣＲ抽出手段と、
前記抽出されたＰＣＲを利用して、ＰＬＬ同期をとるＰＬＬ手段と、
前記ＰＬＬ手段の発信周波数で前記親画面に表示するチャンネルが属する前記所定の伝送単位の時刻をカウントし、新たにチャンネルが選択され、前記子画面にそのチャンネルのＡＶデータが最初に表示される時に、所定の時間だけ、そのチャンネルが属する前記所定の伝送単位のＰＣＲを用いてそのチャンネルの時刻を再現するＳＴＣ（Ｓｙｓｔｅｍ  Ｔｉｍｅ  Ｃｌｏｃｋ）カウンタ手段と、
前記複数チャンネルのうち、前記親画面に表示するチャンネルが属する前記所定の伝送単位に含まれるチャンネルのＡＶデータについては、前記ＳＴＣカウンタ手段とＡＶ同期をとりながら、ＡＶデコードし、新たにチャンネルが選択され、前記子画面にそのチャンネルのＡＶデータが最初に表示される時に、所定の時間だけ、そのチャンネルが属する前記所定の伝送単位に含まれるチャンネルのＡＶデータについてＡＶ同期を取りながらＡＶデコードするＡＶデコード手段と、
前記ＡＶデコードされたＡＶデータを出力する出力手段とを備え、
前記出力されたＡＶデータは、前記マルチ画面で表示されることを特徴とするマルチチャンネル表示用データ作成装置である。
【００４１】
また、第１６の本発明（請求項１６に対応）は、ＡＶデータの映像を表示し、そのＡＶデータの音声をメインスピーカに出力する親画面と、ＡＶデータの映像を表示し、そのＡＶデータの音声を前記メインスピーカに出力しない子画面から構成されているマルチ画面に複数チャンネルのＡＶデータを表示するためのデータを作成するマルチチャンネル表示用データ作成装置であって、
前記複数チャンネルが属する所定の伝送単位毎に、同一のＰＣＲが付加されており、
トランスポートストリームのトランスポートパケットを利用して送られてくる、複数チャンネルのＡＶデータを入力する入力手段と、
前記複数チャンネルのうち、前記親画面に表示するチャンネルが属する前記所定の伝送単位のＰＣＲと、前記子画面のうち前記親画面の次候補となっている前記子画面に表示するチャンネルが属する前記所定の伝送単位のＰＣＲとを抽出する２個のＰＣＲ抽出手段と、
前記親画面に表示するチャンネルが属する前記所定の伝送単位の前記抽出されたＰＣＲと前記親画面の次候補となっている前記子画面に表示するチャンネルが属する前記所定の伝送単位の前記抽出されたＰＣＲとＰＬＬ同期をとる２個のＰＬＬ手段と、
前記ＰＬＬ手段の発信周波数で前記親画面に表示するチャンネルが属する前記所定の伝送単位の時刻と、前記親画面の次候補となっている前記子画面に表示するチャンネルが属する前記所定の伝送単位の時刻をカウントする２個のＳＴＣカウンタ手段と、
前記複数チャンネルのうち、前記親画面に表示するチャンネルが属する前記所定の伝送単位に含まれるチャンネルのＡＶデータと前記親画面の次候補となっている前記子画面に表示するチャンネルが属する前記所定の伝送単位に含まれるチャンネルのＡＶデータについては、前記ＳＴＣカウンタ手段とＡＶ同期をとりながら、ＡＶデコードし、それ以外の前記子画面に表示するチャンネルのＡＶデータについては、ＡＶ同期をとらずにＡＶデコードするＡＶデコード手段と、
前記ＡＶデコードされたＡＶデータを出力する出力手段とを備え、
前記出力されたＡＶデータは、前記マルチ画面で表示されることを特徴とするマルチチャンネル表示用データ作成装置である。
【００４２】
また、第１７の本発明（請求項１７に対応）は、ＡＶデータの映像を表示し、そのＡＶデータの音声をメインスピーカに出力する親画面と、ＡＶデータの映像を表示し、そのＡＶデータの音声を前記メインスピーカに出力しない子画面から構成されているマルチ画面に複数チャンネルのＡＶデータを表示するためのデータを作成するマルチチャンネル表示用データ作成装置であって、
前記複数チャンネルが属する所定の伝送単位毎に、同一のＰＣＲが付加されており、
トランスポートストリームのトランスポートパケットを利用して送られてくる、複数チャンネルのＡＶデータを入力する入力手段と、
前記複数チャンネルのうち、前記親画面に表示するチャンネルが属する前記所定の伝送単位のＰＣＲと、前記子画面に表示するチャンネルが属する前記所定の伝送単位のＰＣＲとを前記所定の伝送単位毎に時分割で抽出する１個のＰＣＲ抽出手段と、
前記所定の伝送単位毎に抽出されたＰＣＲのうち前記親画面に表示するチャンネルが属する前記所定の伝送単位のＰＣＲを利用して、ＰＬＬ同期をとる１個のＰＬＬ手段と、
前記ＰＬＬ手段の発信周波数で前記親画面及び前記子画面に表示するチャンネルが属する前記所定の伝送単位の時刻をカウントする、前記マルチ画面の画面の数と同じ個数または前記マルチ画面に表示する前記複数チャンネルが属する前記所定の伝送単位の数である表示伝送単位数と同じ個数のＳＴＣカウンタ手段と、前記複数画面に表示するチャンネルのＡＶデータを前記複数画面に表示するチャンネルが属する前記所定の伝送単位に対応する前記ＳＴＣカウンタ手段とＡＶ同期をとりながら、ＡＶデコードするＡＶデコード手段と、
前記ＡＶデコードされたＡＶデータを出力する出力手段とを備え、
前記出力されたＡＶデータは、前記マルチ画面で表示されることを特徴とするマルチチャンネル表示用データ作成装置である。
【００４３】
また、第１８の本発明（請求項１８に対応）は、ＡＶデータの映像を表示し、そのＡＶデータの音声をメインスピーカに出力する親画面と、ＡＶデータの映像を表示し、そのＡＶデータの音声を前記メインスピーカに出力しない子画面から構成されているマルチ画面に複数チャンネルのＡＶデータを表示するためのデータを作成するマルチチャンネル表示用データ作成装置であって、
前記複数チャンネルが属する所定の伝送単位毎に、同一のＰＣＲが付加されており、
トランスポートストリームのトランスポートパケットを利用して送られてくる、複数チャンネルのＡＶデータを入力する入力手段と、
前記複数チャンネルのうち、前記親画面に表示するチャンネルが属する前記所定の伝送単位のＰＣＲと、前記子画面のうち前記親画面の次候補となっている前記子画面に表示するチャンネルが属する前記所定の伝送単位のＰＣＲとを抽出する２個のＰＣＲ抽出手段と、
前記抽出されたＰＣＲを利用して、ＰＬＬ同期をとる１個のＰＬＬ手段と、
前記ＰＬＬ手段の発信周波数で前記親画面に表示するチャンネルが属する前記所定の伝送単位の時刻をカウントする１個のＳＴＣカウンタ手段と、
前記複数のチャンネルのうち、前記親画面に表示するチャンネルが属する前記所定の伝送単位に含まれるチャンネルのＡＶデータについては、前記ＳＴＣカウンタ手段とＡＶ同期をとりながら、ＡＶデコードし、前記子画面に表示するチャンネルのうち、前記親画面に表示するチャンネルが属する前記所定の伝送単位に含まれないチャンネルのＡＶデータについては、ＡＶ同期をとらずにＡＶデコードするＡＶデコード手段と、
前記ＡＶデコードされたＡＶデータを出力する出力手段とを備え、
前記親画面の次候補となっている前記子画面のチャンネルが親画面に切り替えられると、前記ＰＬＬ手段は、それまでに抽出していたＰＣＲを利用してそのチャンネルが属する前記所定の伝送単位のＰＬＬ同期をとり、前記ＳＴＣカウンタ手段はそのチャンネルが属する前記所定の伝送単位の時刻を再現し、
前記出力されたＡＶデータは、前記マルチ画面で表示されることを特徴とするマルチチャンネル表示用データ作成装置である。
【００４４】
また、第１９の本発明（請求項１９に対応）は、ＡＶデータの映像を表示し、そのＡＶデータの音声をメインスピーカに出力する親画面と、ＡＶデータの映像を表示し、そのＡＶデータの音声を前記メインスピーカに出力しない子画面から構成されているマルチ画面に複数チャンネルのＡＶデータを表示するためのデータを作成するマルチチャンネル表示用データ作成装置であって、
前記複数チャンネルが属する所定の伝送単位毎に、同一のＰＣＲが付加されており、
トランスポートストリームのトランスポートパケットを利用して送られてくる、複数チャンネルのＡＶデータを入力する入力手段と、
前記複数チャンネルのうち、前記親画面に表示するチャンネルが属する前記所定の伝送単位のＰＣＲと、前記子画面のうち前記親画面の次候補となっている前記子画面に表示するチャンネルが属する前記所定の伝送単位のＰＣＲとを抽出する２個のＰＣＲ抽出手段と、
前記抽出されたＰＣＲを利用して、前記親画面に表示するチャンネルが属する前記所定の伝送単位のＰＬＬ同期をとる１個のＰＬＬ手段と、
前記ＰＬＬ手段の発信周波数で前記親画面に表示するチャンネルが属する前記所定の伝送単位の時刻と、前記子画面のうち前記親画面の次候補となっている前記子画面に表示するチャンネルが属する前記所定の伝送単位の時刻をカウントする２個のＳＴＣカウンタ手段と、
前記複数チャンネルのうち、前記親画面に表示するチャンネルが属する前記所定の伝送単位に含まれるチャンネルのＡＶデータと前記親画面の次候補となっている前記子画面に表示するチャンネルが属する前記所定の伝送単位に含まれるチャンネルのＡＶデータとを前記ＳＴＣカウンタ手段とＡＶ同期をとりながら、ＡＶデコードし、それ以外の前記子画面に表示するチャンネルのＡＶデータについては、ＡＶ同期をとらずにＡＶデコードするＡＶデコード手段と、
前記ＡＶデコードされたＡＶデータを出力する出力手段とを備え、
前記出力されたＡＶデータは、前記マルチ画面で表示されることを特徴とするマルチチャンネル表示用データ作成装置である。
【００４５】
また、第２０の本発明（請求項２０に対応）は、ＡＶデータの映像を表示し、そのＡＶデータの音声をメインスピーカに出力する親画面と、ＡＶデータの映像を表示し、そのＡＶデータの音声を前記メインスピーカに出力しない子画面から構成されているマルチ画面に複数チャンネルのＡＶデータを表示するためのデータを作成するマルチチャンネル表示用データ作成装置であって、
前記複数チャンネルが属する所定の伝送単位毎に、同一のＰＣＲが付加されており、
トランスポートストリームのトランスポートパケットを利用して送られてくる、複数チャンネルのＡＶデータを入力する入力手段と、
前記複数チャンネルのうち、前記親画面及び前記子画面に表示するチャンネルが属する前記所定の伝送単位のＰＣＲを前記所定の伝送単位毎に抽出する、前記マルチ画面の画面の数と同じ個数または前記マルチ画面に表示する前記複数チャンネルが属する前記所定の伝送単位の数である表示伝送単位数と同じ個数のＰＣＲ抽出手段と、
前記抽出されたＰＣＲを利用して、前記親画面に表示するチャンネルとＰＬＬ同期をとる１個のＰＬＬ手段と、
前記ＰＬＬ手段の発信周波数で前記親画面及び前記子画面に表示するチャンネルが属する前記所定の伝送単位の時刻をカウントする、前記マルチ画面の画面の数と同じ個数または前記表示伝送単位数と同じ個数のＳＴＣカウンタ手段と、
前記複数チャンネルのうち、前記親画面及び子画面に表示するチャンネルが属する前記所定の伝送単位に含まれるチャンネルのＡＶデータを前記ＳＴＣカウンタ手段とＡＶ同期をとりながら、ＡＶデコードするＡＶデコード手段と、
前記ＡＶデコードされたＡＶデータを出力する出力手段とを備え、
前記出力されたＡＶデータは、前記マルチ画面で表示されることを特徴とするマルチチャンネル表示用データ作成装置である。
【００４６】
また、第２１の本発明（請求項２１に対応）は、ＡＶデータの映像を表示し、そのＡＶデータの音声をメインスピーカに出力する親画面と、ＡＶデータの映像を表示し、そのＡＶデータの音声を前記メインスピーカに出力しない子画面から構成されているマルチ画面に複数チャンネルのＡＶデータを表示するためのデータを作成するマルチチャンネル表示用データ作成装置であって、
前記複数チャンネルが属する所定の伝送単位毎に、同一のＰＣＲが付加されており、
トランスポートストリームのトランスポートパケットを利用して送られてくる、複数チャンネルのＡＶデータを入力する入力手段と、
前記複数チャンネルのうち、前記親画面及び前記子画面に表示するチャンネルが属する前記所定の伝送単位のＰＣＲを前記所定の伝送単位毎に抽出する、前記マルチ画面の画面の数と同じ個数または前記マルチ画面に表示する前記複数チャンネルが属する前記所定の伝送単位の数である表示伝送単位数と同じ個数のＰＣＲ抽出手段と、
前記抽出されたＰＣＲを利用して、前記親画面に表示するチャンネルが属する前記所定の伝送単位のＰＬＬ同期をとる１個のＰＬＬ手段と、
前記ＰＬＬ手段の発信周波数で前記親画面に表示するチャンネルが属する前記所定の伝送単位の時刻をカウントする１個のＳＴＣカウンタ手段と、
前記子画面に表示するチャンネルが属する前記所定の伝送単位に含まれるチャンネルのＡＶデータのＰＣＲが到着した際に、前記ＳＴＣカウンタ手段の値との差分を計算する差分計算手段と、
前記複数チャンネルのうち、前記親画面に表示するチャンネルが属する前記所定の伝送単位に含まれるチャンネルのＡＶデータについては、前記ＳＴＣカウンタ手段とＡＶ同期をとりながら、ＡＶデコードし、それ以外の前記子画面に表示するチャンネルのＡＶデータについては、前記差分を前記ＳＴＣカウンタ手段のカウント値に加えた値とＡＶ同期をとりながらＡＶデコードするＡＶデコード手段と、
前記ＡＶデコードされたＡＶデータを出力する出力手段とを備え、
前記出力されたＡＶデータは、前記マルチ画面で表示されることを特徴とするマルチチャンネル表示用データ作成装置である。
【００４７】
また、第２２の本発明（請求項２２に対応）は、ＡＶデータの映像を表示し、そのＡＶデータの音声をメインスピーカに出力する親画面と、ＡＶデータの映像を表示し、そのＡＶデータの音声を前記メインスピーカに出力しない子画面から構成されているマルチ画面に複数チャンネルのＡＶデータを表示するためのデータを作成するマルチチャンネル表示用データ作成装置であって、
前記複数チャンネルが属する所定の伝送単位毎に、同一のＰＣＲが付加されており、
トランスポートストリームのトランスポートパケットを利用して送られてくる、複数チャンネルのＡＶデータを入力する入力手段と、
前記複数チャンネルのうち、前記親画面及び前記子画面に表示するチャンネルが属する前記所定の伝送単位のＰＣＲを前記伝送単位毎に抽出する、前記マルチ画面の画面の数と同じ個数または前記マルチ画面に表示する前記複数チャンネルが属する前記所定の伝送単位の数である表示伝送単位数と同じ個数のＰＣＲ抽出手段と、
前記抽出されたＰＣＲを利用して、前記親画面に表示するチャンネルが属する前記所定の伝送単位とＰＬＬ同期をとる１個のＰＬＬ手段と、
前記ＰＬＬ手段の発信周波数で前記親画面に表示するチャンネルが属する前記所定の伝送単位の時刻をカウントする１個のＳＴＣカウンタ手段と、
前記子画面に表示するチャンネルが属する前記所定の伝送単位のＰＣＲが到着した際に、前記ＳＴＣカウンタ手段の値との差分を計算する差分計算手段と、
前記子画面に表示するチャンネルが属する前記所定の伝送単位に含まれるチャンネルのＡＶデータについては、そのＡＶデータのタイムスタンプの値を前記差分を差し引いた値に書き替えるタイムスタンプ書き替え手段と、
前記複数チャンネルのうち、前記親画面に表示するチャンネルが属する前記所定の伝送単位に含まれるチャンネルのＡＶデータについては、前記ＳＴＣカウンタ手段とＡＶ同期をとりながら、ＡＶデコードし、それ以外の前記子画面に表示するチャンネルのＡＶデータについては、前記書き替えられたタイムスタンプと前記ＳＴＣカウンタ手段とでＡＶ同期をとりながらＡＶデコードするＡＶデコード手段と、
前記ＡＶデコードされたＡＶデータを出力する出力手段とを備え、
前記出力されたＡＶデータは、前記マルチ画面で表示されることを特徴とするマルチチャンネル表示用データ作成装置である。
【００４８】
また、第２３の本発明（請求項２３に対応）は、前記ＰＣＲ抽出手段の個数は２個であることに代え、前記ＰＣＲ抽出手段の個数は１個であり、前記ＰＣＲ抽出手段は、前記複数チャンネルのうち、前記親画面に表示するチャンネルが属する前記所定の伝送単位のＰＣＲと、前記子画面のうち前記親画面の次候補となっている前記子画面に表示するチャンネルが属する前記所定の伝送単位のＰＣＲとを時分割で抽出することを特徴とする第１６または１８または１９の本発明に記載のマルチチャンネル表示用データ作成装置である。
【００４９】
また、第２４の本発明（請求項２４に対応）は、前記ＰＬＬ手段は、自らが有する発信器の発信周波数でカウントするカウンタを有し、前記ＰＣＲ抽出手段が最初に抽出した、ＰＬＬ同期をとるべきチャンネルが属する前記所定の伝送単位のＰＣＲの値と前記ＰＣＲ抽出手段がそのＰＣＲを抽出した時の前記カウンタのカウント値との第１の差分を求めて保持し、
前記ＰＣＲ抽出手段が２回目以降に抽出した、前記ＰＬＬ同期をとるべきチャンネルが属する前記所定の伝送単位のＰＣＲの値と前記ＰＣＲ抽出手段がそのＰＣＲを抽出した時の前記カウンタのカウント値との第２の差分を求め、
前記第１の差分と前記第２の差分との差が少なくなるように発振周波数を制御することを特徴とする第１４、１５、１７〜２３の本発明のいずれかに記載のマルチチャンネル表示用データ作成装置である。
【００５０】
また、第２５の本発明（請求項２５に対応）は、前記所定の伝送単位とは、トランスポートストリームであることを特徴とする第１３〜２４の本発明のいずれかに記載のマルチチャンネル表示用データ作成装置である。
【００５１】
また、第２６の本発明（請求項２６に対応）は、前記所定の伝送単位とは、放送局であることを特徴とする第１３〜２４の本発明のいずれかに記載のマルチチャンネル表示用データ作成装置である。
【００５４】
【発明の実施の形態】
以下に、本発明の実施の形態について図面を参照して説明する。
【００５５】
（第１の実施の形態）
まず、第１の実施の形態について、図１、図１２を参照して説明する。
【００５６】
図１は、本実施の形態のマルチチャンネル表示を行うためのデータを作成するＳＴＢの構成を示すブロック図である。
【００５７】
図１２は、図１に示すＳＴＢ３０が作成したマルチチャンネル表示用データをテレビ画面に表示した例を示す図である。
【００５８】
図１２では、テレビ画面６５は、４画面から構成されている。親画面６６は、映像を表示し、音声をメインスピーカに出力する画面である。子画面６７、子画面６８、子画面６９は、映像を表示し、音声をメインスピーカに出力しない子画面である。
【００５９】
図１に戻って、ＳＴＢ３０は、ＢＳチューナ４、ＩＥＥＥ１３９４インターフェース５、トランスポートデコーダ３１、ＡＶデコーダ３２から構成される。
【００６０】
また、トランスポートデコーダ３１は時分割ＰＣＲ抽出部１４、４個のＰＬＬ部１２ａ〜ｄを有する。ＡＶデコーダは、４個のＳＴＣカウンタ１３ａ〜ｄを有する。
【００６１】
ＢＳチューナ４は、ＢＳ放送を受信する手段である。ＩＥＥＥ１３９４インターフェース５は、ＳＴＢ３０の外部にあるＩＥＥＥ１３９４バス３を介して外部機器とデータやコマンドをやりとりする手段である。トランスポートデコーダ３１は送られてきたＭＰＥＧ２トランスポートストリームを分離する手段である。ＡＶデコーダ３２は、ＭＰＥＧ２圧縮されているＡＶデータを伸長し、アナログ信号を生成する手段である。
【００６２】
時分割ＰＣＲ抽出部１４は、テレビ画面６５の各画面に表示するチャンネルのＡＶデータからＰＣＲ（Ｐｒｏｇｒａｍ  Ｃｌｏｃｋ  Ｒｅｆｅｒｅｎｎｃｅ）を時分割で抽出する手段である。ＰＬＬ部１２ａ〜ｄは、時分割ＰＣＲ抽出部１４で抽出したＰＣＲを用いて、ＰＬＬ同期をとる手段である。すなわち、ＡＶデータの送り手側の時刻基準として用いた２７ＭＨｚの周波数の発振器と発信周波数を同期させる手段である。ＳＴＣカウンタ１３ａ〜ｄは、ＰＬＬ部１２ａ〜ｄから得られる２７ＭＨｚのクロックと、時分割ＰＣＲ抽出部１４で抽出したＰＣＲの値から、ＡＶデータの送り手側が用いた時刻を再現する手段である。
【００６３】
また、ＳＴＢ３０には、アンテナ６が接続されており、また、ＩＥＥＥ１３９４インターフェース５には、ＩＥＥＥ１３９４バス３が接続され、そのＩＥＥＥ１３９４バス３には、ＣＳチューナ７、ＤＶＨＳ８が接続されている。
【００６４】
次に、このような本実施の形態の動作を説明する。
【００６５】
ＢＳ放送の放送局から送信されてきた放送波は、アンテナ６で電気信号に変換される。そしてＢＳチューナ４は、電気信号に変換された放送波を受信し、復調する。なお、番組のデータはＭＰＥＧ２トランスポートストリームのトランスポートパケットを利用して送られてくるものとする。
【００６６】
復調されたデータは、トランスポートデコーダ３１に渡される。
【００６７】
さらに、ＣＳチューナ７は、アンテナ６を介して、ＣＳ放送を受信し、復調する。そしてＣＳチューナ７は復調されたＡＶデータをＩＥＥＥ１３９４バス３を介して、ＩＥＥＥ１３９４インターフェース５に送る。ＩＥＥＥ１３９４インターフェース５は、このＡＶデータを、トランスポートデコーダ３１に送る。
【００６８】
さらに、ＤＶＨＳ８は、再生中のデータをＣＳチューナ７と同様の経路で、トランスポートデコーダ３１に送る。
【００６９】
トランスポートデコーダ３１は、ＭＰＥＧ２トランスポートストリームを分離する。その際、トランスポートデコーダ３１は、次のことを行う。
【００７０】
すなわち、テレビ画面６５の各画面に表示するチャンネルのＡＶデータから、ＰＣＲを抽出する。テレビ画面６５には、親画面６６、子画面６７〜６９の合計４つの画面がある。従って、この４つの画面に表示するチャンネルのＡＶデータからＰＣＲを抽出する。
【００７１】
本実施の形態では、親画面６６にＢＳ放送のチャンネルの番組１を表示し、子画面６７にはＢＳ放送で親画面６６に表示するチャンネルとは別のチャンネルの番組２を表示する。また、子画面６８にＣＳ放送のチャンネルの番組３を表示する。また、子画面６９にＤＶＨＳ８で再生されている中の特定のチャンネルの番組４を表示する。このように、テレビ画面６５に表示するチャンネルのＡＶデータは、チャンネル毎に異なった時刻基準のＰＣＲが付加されている。
【００７２】
そこで、時分割ＰＣＲ抽出部１４は、親画面６６に表示するチャンネルのＡＶデータのＰＣＲ、子画面６７に表示するチャンネルのＡＶデータのＰＣＲ、子画面６８に表示するチャンネルのＡＶデータのＰＣＲ、子画面６９に表示するチャンネルのＰＣＲをそれぞれ時分割で抽出する。
【００７３】
さらに、このようにして、抽出された各チャンネルのＰＣＲを用いて、ＰＬＬ部１２ａ〜ｄは、ＰＬＬ同期をとる。すなわち、ＡＶデータの送り手側が時刻基準として用いた２７ＭＨｚの周波数の発振器と発信周波数を同期させる。ＰＬＬ部１２ａは、親画面６６に表示するチャンネルとＰＬＬ同期をとる。同様に、ＰＬＬ部１２ｂは子画面６７、同じくＰＬＬ部１２ｃは子画面６８、同じくＰＬＬ部１２ｄは子画面６９に表示するチャンネルとＰＬＬ同期をとる。
【００７４】
ＳＴＣカウンタ１３ａ〜ｄは、ＰＬＬ部１２ａ〜ｄから得られる２７ＭＨｚのクロックと、時分割ＰＣＲ抽出部１４で抽出したＰＣＲの値から、ＡＶデータの送り手側の時刻を再現する。すなわち、ＳＴＣカウンタ１３ａは、親画面６６に表示するチャンネルの時刻を再現する。同様に、ＳＴＣカウンタ１３ｂは子画面６７、同じくＳＴＣカウンタ１３ｃは子画面６８、同じくＳＴＣカウンタ１３ｄは子画面６９に表示するチャンネルの時刻を再現する。このようなＳＴＣカウンタ１３ａ〜ｄを用いて、チャンネル毎に、ＡＶ同期を取りながらＡＶデコーダ３２は、圧縮されているＭＰＥＧ形式のデータを伸長し、アナログ信号に変換する。すなわち、チャンネル毎に、データに記載されているＰＴＳ（Ｐｒｅｓｅｎｔａｔｉｏｎ  Ｔｉｍｅ  Ｓｔａｍｐ）が、そのデータのチャンネルのＳＴＣカウンタ１３の示す時刻と一致したタイミングでその部分のデータを伸長し、アナログ信号に変換する。
【００７５】
さらに、ＡＶデコーダ３２は、このようにして得られたアナログ信号をビデオ信号とオーディオ信号として出力する。親画面６６、子画面６７〜６９の４つの画面には映像が表示され、また、親画面６６に表示するチャンネルの音声は、メインスピーカから出力される。
【００７６】
このように、ＰＣＲを時分割で抽出することによって、ＰＣＲ抽出部の個数がマルチ画面の画面数より少ない個数のＳＴＢ３０を構成することが出来るので、装置規模を小さくすることが出来る。
【００７７】
（第２の実施の形態）
次に、第２の実施の形態について、図２、図１２を参照して説明する。
【００７８】
図２は、本実施の形態のマルチチャンネル表示を行うためのデータを作成するＳＴＢの構成を示すブロック図である。
【００７９】
図１２は、図２に示すＳＴＢ３３が作成したマルチチャンネル表示用データをテレビ画面に表示した例を示す図である。
【００８０】
図１２では、テレビ画面６５は、４画面から構成されている。親画面６６は、映像を表示し、音声をメインスピーカに出力する画面である。子画面６７、子画面６８、子画面６９は、映像を表示し、音声をメインスピーカに出力しない子画面である。メインスピーカとは、テレビ受像器に備えられているスピーカであり、視聴者は、メインスピーカから出力される音声と親画面６６に表示されている映像を視聴することによって番組を鑑賞する。これとは別にテレビ受像器にはイヤホンジャックなどが備えられている。
【００８１】
図２に戻って、ＳＴＢ３３は、ＢＳチューナ４、ＩＥＥＥ１３９４インターフェース５、トランスポートデコーダ３４、ＡＶデコーダ３５から構成される。
【００８２】
また、トランスポートデコーダ３４はＰＣＲ抽出部１１、ＰＬＬ部１２を有する。ＡＶデコーダは、ＳＴＣカウンタ１３を有する。
【００８３】
ＢＳチューナ４は、ＢＳ放送を受信する手段である。ＩＥＥＥ１３９４インターフェース５は、ＳＴＢ３３の外部にあるＩＥＥＥ１３９４バス３を介して外部機器とデータやコマンドをやりとりする手段である。トランスポートデコーダ３４は送られてきたＭＰＥＧ２トランスポートストリームを分離する手段である。ＡＶデコーダ３５は、ＭＰＥＧ２圧縮されているＡＶデータを伸長し、アナログ信号を生成する手段である。
【００８４】
ＰＣＲ抽出部１１は、テレビ画面６５の親画面６６に表示するチャンネルのＡＶデータからＰＣＲを抽出する手段である。ＰＬＬ部１２は、ＰＣＲ抽出部１１で抽出したＰＣＲを用いて、ＰＬＬ同期をとる手段である。すなわち、ＡＶデータの送り手側が時刻基準として用いた２７ＭＨｚの周波数の発振器と発信周波数を同期させる手段である。ＳＴＣカウンタ１３は、ＰＬＬ部１２から得られる２７ＭＨｚのクロックと、ＰＣＲ抽出部１１で抽出したＰＣＲの値から、ＡＶデータの送り手側が使用している時刻を再現する手段である。
【００８５】
また、ＳＴＢ３３には、アンテナ６が接続されており、また、ＩＥＥＥ１３９４インターフェース５には、ＩＥＥＥ１３９４バス３が接続され、そのＩＥＥＥ１３９４バス３には、ＣＳチューナ７、ＤＶＨＳ８が接続されている。
【００８６】
次に、このような本実施の形態の動作を説明する。
【００８７】
ＢＳ放送の放送局から送信されてきた放送波は、アンテナ６で電気信号に変換される。そしてＢＳチューナ４は、電気信号に変換された放送波を受信し、復調する。なお、番組のＡＶデータはＭＰＥＧ２トランスポートストリームのトランスポートパケットを利用して送られてくるものとする。
【００８８】
復調されたＡＶデータは、トランスポートデコーダ３４に渡される。
【００８９】
さらに、ＣＳチューナ７は、アンテナ６を介して、ＣＳ放送を受信し、復調する。そしてＣＳチューナ７は復調されたＡＶデータをＩＥＥＥ１３９４バス３を介して、ＩＥＥＥ１３９４インターフェース５に送る。ＩＥＥＥ１３９４インターフェース５は、このＡＶデータをトランスポートデコーダ３４に送る。
【００９０】
さらに、ＤＶＨＳ８は、再生中のデータをＣＳチューナ７と同様の経路で、トランスポートデコーダ３４に送る。
【００９１】
トランスポートデコーダ３４は、ＭＰＥＧ２トランスポートストリームを分離する。その際、トランスポートデコーダ３４は、次のことを行う。
【００９２】
すなわち、テレビ画面６５には、親画面６６、子画面６７〜６９の合計４つの画面がある。そのうち、親画面６６に表示するチャンネルのＡＶデータから、ＰＣＲを抽出する。本実施の形態では、親画面６６にＢＳ放送のチャンネルの番組１を表示し、子画面６７にはＢＳ放送で親画面６６に表示するチャンネルとは別のチャンネルの番組２を表示する。また、子画面６８にＣＳ放送のチャンネルの番組３を表示する。また、子画面６９にＤＶＨＳ８で再生されている中の特定のチャンネルの番組４を表示する。このように、テレビ画面６５に表示するチャンネルのＡＶデータは、チャンネル毎に異なった時刻基準のＰＣＲが付加されている。
【００９３】
しかし、ＰＣＲ抽出部１１は、親画面６６に表示するチャンネルのＡＶデータのＰＣＲのみを抽出する。
【００９４】
さらに、このようにして、抽出された、親画面６６に表示するＰＣＲを用いて、ＰＬＬ部１２は、ＰＬＬ同期をとる。すなわち、ＡＶデータの送り手側が時刻基準として用いた２７ＭＨｚの周波数の発振器と発信周波数を同期させる。
【００９５】
ＳＴＣカウンタ１３は、ＰＬＬ部１２から得られる２７ＭＨｚのクロックと、ＰＣＲ抽出部１１で抽出したＰＣＲの値から、ＡＶデータの送り手側の時刻を再現する。すなわち、ＳＴＣカウンタ１３は、親画面６６に表示するチャンネルの時刻を再現する。
【００９６】
このようなＳＴＣカウンタ１３を用いて、親画面６６に表示するチャンネルに関してのみ、ＡＶ同期を取りながら、ＡＶデコーダ３５は、圧縮されているＭＰＥＧ形式のデータを伸長し、アナログ信号に変換する。すなわち、親画面６６に表示するチャンネルのＡＶデータに記載されているＰＴＳ（Ｐｒｅｓｅｎｔａｔｉｏｎ  Ｔｉｍｅ  Ｓｔａｍｐ）が、ＳＴＣカウンタ１３の示す時刻と一致したタイミングでその部分のデータを伸長し、アナログ信号に変換する。
【００９７】
また、ＡＶデコーダ３５は、子画面６７〜６９に表示するチャンネルのＡＶデータについては、ＡＶ同期を取らずに、フリーランでＭＰＥＧ形式のデータを伸長し、アナログ信号に変換する。
【００９８】
さらに、ＡＶデコーダ３２は、このようにして得られたアナログ信号をビデオ信号とオーディオ信号として出力する。親画面６６、子画面６７〜６９の４つの画面には映像が表示され、また、親画面６６に表示するチャンネルの音声は、メインスピーカから出力される。
【００９９】
上述したように、ＡＶデコーダ３５は、親画面６６に表示するチャンネルのＡＶデータのみＡＶ同期をとり、子画面６６〜６９に表示するチャンネルのＡＶ同期は取らない。このように構成した理由について以下詳細に説明する。
【０１００】
ＭＰＥＧ２トランスポートストリームのトランスポートパケットには、１００ｍｍ秒以内の間隔で、上述したＰＣＲが付加される。ＰＣＲが付加されているか付加されていないかは、トランスポートパケットのヘッダ部分のアダプテーションフィールドの５フラグに記述されている。
【０１０１】
また、トランスポートパケットはオーディオ用のパケットとビデオ用のパケットが別々のパケットとして送られてくる。このようなトランスポートパケットの区別は、トランスポートパケットのヘッダ部分に記述されているＰＩＤを参照することによって行うことが出来る。
【０１０２】
トランスポートデコーダ３４は、これらのトランスポートパケットを分離し、オーディオ用のエレメンタリーストリームとビデオ用のエレメンタリーストリームを生成する。オーディオ用のエレメンタリーストリームには、オーディオ用のＰＴＳが付加されており、ビデオ用のエレメンタリーストリームにはビデオ用のＰＴＳが付加されている。
【０１０３】
ＡＶデコーダ３５は、オーディオ用のＰＴＳとＳＴＣカウンタ１３のカウント値が一致するタイミングで、順次オーディオ用のエレメンタリーストリームを伸長し、出力する。同時に、ビデオ用のＰＴＳとＳＴＣカウンタ１３のカウント値が一致するタイミングで、ビデオ用のエレメンタリーストリームを伸長し、出力する。
【０１０４】
その結果、音声と映像を表示するタイミングが一致する。例えば、映画などの場合、登場人物が話す口の動きと、音声の出力が完全に一致する。このようないわゆるリップシンクを、ＡＶ同期をとっている親画面で実現することが出来る。
【０１０５】
子画面６７〜６９に表示するチャンネルのＡＶデータは、ＡＶ同期をとっていないので、リップシンクを実現することは出来ない。ところが、子画面６７〜６９は、音声をメインスピーカに出力しない。通常、子画面６７〜６９の音声はどこにも出力しない。従って、子画面６７〜６９に関しては、リップシンクを実現する必要がない。以上が、親画面６６に表示するチャンネルのみＡＶ同期をとり、子画面６７〜６９に表示するチャンネルのＡＶデータをフリーランでＡＶデコードするようにした理由である。
【０１０６】
ただし、例外として、子画面６７〜６９に表示するいずれかのチャンネル音声をテレビ受像器のイヤホンジャックから出力した場合は、映像と音声のタイミングがあわなくなる。
【０１０７】
また、子画面６７〜６９に表示される映像は、ＡＶ同期を取らなかったため、色がちらつくなどの不具合が生じる。ただし、図１２に示すように、子画面６７〜６９の表示面積が親画面６６に比較して小さいので、上記の色のちらつきはある程度までは気にならない。
【０１０８】
また、親画面６６に表示するチャンネルを別のチャンネルに切り替えた直後から、新しいチャンネルのＰＣＲを抽出し、ＰＬＬ同期をとり、新しいＳＴＣを正確に生成出来るまでの期間、ＡＶ同期をとることは出来ないので、同期ずれやブロックノイズを隠すため、映像をブラックアウトし、音声をミュートする必要がある。
【０１０９】
このように、本実施の形態のＳＴＢ３３は、子画面での表示に若干の不具合と親画面のチャンネルを別のチャンネルに切り替えた時に、瞬時に新しいチャンネルのＡＶデータを表示出来ないという欠点があるが、装置規模が小さいＳＴＢを実現することが出来る。
【０１１０】
（第３の実施の形態）
次に、第３の実施の形態について、図３、図１２を参照して説明する。
【０１１１】
図３は、本実施の形態のマルチチャンネル表示を行うためのデータを作成するＳＴＢの構成を示すブロック図である。
【０１１２】
図１２は、図３に示すＳＴＢ３６が作成したマルチチャンネル表示用データをテレビ画面に表示した例を示す図である。
【０１１３】
図１２では、テレビ画面６５は、４画面から構成されており、第１の実施の形態及び第２の実施の形態と同一のものである。
【０１１４】
図３に示すように、ＳＴＢ３６は、ＢＳチューナ４、ＩＥＥＥ１３９４インターフェース５、トランスポートデコーダ３７、ＡＶデコーダ３８から構成される。
【０１１５】
第２の実施の形態との相違点は、ＰＣＲ抽出部１１の代わりに、時分割ＰＣＲ抽出部１４から構成される点である。それ以外は、第２の実施の形態と同一であるので記述を省略する。
【０１１６】
時分割ＰＣＲ抽出部１４は、テレビ画面６５の各画面に表示するチャンネルのＡＶデータからＰＣＲを時分割で抽出する手段である。
【０１１７】
次に、このような本実施の形態の動作を第２の実施の形態との相違点を中心に説明する。
【０１１８】
トランスポートデコーダ３７にＭＰＥＧ２トランスポートストリームが送られてくるまでの動作は、第２の実施の形態と同一である。
【０１１９】
トランスポートデコーダ３７は、ＭＰＥＧ２トランスポートストリームを分離する。その際、トランスポートデコーダ３７は、次のことを行う。
【０１２０】
すなわち、テレビ画面６５には、親画面６６、子画面６７〜６９の合計４つの画面がある。そのうち、親画面６６に表示するチャンネルのＡＶデータから、ＰＣＲを抽出する。
【０１２１】
本実施の形態では、親画面６６にＢＳ放送のチャンネルの番組１を表示し、子画面６７にはＢＳ放送で親画面６６に表示するチャンネルとは別のチャンネルの番組２を表示する。また、子画面６８にＣＳ放送のチャンネルの番組３を表示する。また、子画面６９にＤＶＨＳ８で再生されている中の特定のチャンネルの番組４を表示する。このように、テレビ画面６５に表示するチャンネルのＡＶデータは、チャンネル毎に異なった時刻基準のＰＣＲが付加されている。
【０１２２】
時分割ＰＣＲ抽出部１４は、通常親画面６６に表示するチャンネルのＡＶデータのＰＣＲを抽出している。そして、子画面６７〜６９に表示するチャンネルが切り替わった場合のみ、所定の時間だけ、切り替わったチャンネルのＡＶデータのＰＣＲを抽出する。所定の時間が経過すると、再び、親画面６６に表示するチャンネルのＡＶデータのＰＣＲを抽出する。
【０１２３】
例えば子画面６７に表示するチャンネルが別のチャンネルが選択されて切り替わった場合、時分割ＰＣＲ抽出部１４は、所定の時間だけ、切り替わったチャンネルのＰＣＲを抽出する。
【０１２４】
さらに、このようにして、抽出された、親画面６６に表示するＰＣＲを用いて、ＰＬＬ部１２は、ＰＬＬ同期をとる。すなわち、ＡＶデータの送り手側が時刻基準として用いた２７ＭＨｚの周波数の発振器と発信周波数を同期させる。時分割ＰＣＲ抽出部１４が、親画面６６に表示するチャンネルのＡＶデータのＰＣＲを抽出している時は、ＰＬＬ部１２は、親画面６６に表示するチャンネルとＰＬＬ同期をとる。そして、時分割ＰＣＲ抽出部１４が、子画面６７〜６９のいずれかに表示するチャンネルのＡＶデータのＰＣＲを抽出している時は、ＰＬＬ部１２は、そのチャンネルとＰＬＬ同期をとる。
【０１２５】
ＳＴＣカウンタ１３は、ＰＬＬ部１２から得られる２７ＭＨｚのクロックと、時分割ＰＣＲ抽出部１４で抽出したＰＣＲの値から、ＡＶデータの送り手側の時刻を再現する。
【０１２６】
すなわち、時分割ＰＣＲ抽出部１４が親画面６６に表示するチャンネルのＰＣＲを抽出している時、ＰＬＬ部１２も親画面６６に表示するチャンネルとＰＬＬ同期をとるので、ＳＴＣカウンタ１３は、親画面６６に表示する示するチャンネルの時刻を再現することになる。また、時分割ＰＣＲ抽出部１４が子画面６７〜６９のいずれかに表示するチャンネルのＡＶデータのＰＣＲを抽出している時、ＰＬＬ部１２も子画面６７〜６９のいずれかに表示するチャンネルとＰＬＬ同期をとるので、ＳＴＣカウンタ１３は、そのチャンネルの時刻を再現することになる。
【０１２７】
このようなＳＴＣカウンタ１３を用いて、ＡＶデコーダ３８は、圧縮されているＭＰＥＧ形式のデータを伸長し、アナログ信号に変換する。ただし、ＡＶデコーダ３８は、ＳＴＣカウンタ１３が親画面６６に表示するチャンネルの時刻を再現している時は、そのチャンネルのＡＶデータとのみＡＶ同期をとり、それ以外のチャンネルのＡＶデータとはＡＶ同期をとらずに、ＡＶデータを伸長し、アナログ信号に変換する。また、ＳＴＣカウンタ１３が子画面６７〜６９に表示するチャンネルの時刻を再現している時は、時刻を再現しているチャンネルとのみＡＶ同期をとり、それ以外のチャンネルのＡＶデータとはＡＶ同期をとらずに、ＡＶデータを伸長し、アナログ信号に変換する。
【０１２８】
すなわち、ＡＶデコーダ３８は、親画面６６に表示するチャンネルのＡＶデータをＡＶ同期をとりながら処理している時は、それ以外のチャンネルのＡＶデータはフリーランで処理する。また、子画面６７〜６９のいずれかに表示するチャンネルのＡＶデータをＡＶ同期をとりながら処理している時は、親画面６６に表示するチャンネルを含むそれ以外のチャンネルはフリーランで処理する。
【０１２９】
さらに、ＡＶデコーダ３８は、このようにして得られたアナログ信号をビデオ信号とオーディオ信号として出力する。親画面６６、子画面６７〜６９の４つの画面には映像が表示され、また、親画面６６に表示するチャンネルの音声は、メインスピーカから出力される。
【０１３０】
このように、本実施の形態では、通常親画面に表示するチャンネルのＡＶデータをＡＶ同期をとりながら処理しており、子画面に表示するチャンネルが変更になった場合のみ所定の時間だけ、その子画面に表示するチャンネルのＡＶデータとＡＶ同期をとり、所定の時間が経過すると、再び、親画面に表示するチャンネルのＡＶデータをＡＶ同期をとりながら処理する。
【０１３１】
従って、本実施の形態では、第２の実施の形態と同程度の装置規模を保ちながら、子画面の色のちらつきなどの表示上の不具合を改善することが出来る。
【０１３２】
なお、本実施の形態では、ＰＬＬ部１２は時分割ＰＣＲ抽出部１４がＰＣＲを抽出したチャンネルとＰＬＬ同期をとるとして説明したが、これに限らない。ＰＬＬ部１２は、常に親画面に表示するチャンネルとＰＬＬ同期をとる。すなわち、親画面に表示するチャンネルのクロックを再現するようにしても構わない。
【０１３３】
（第４の実施の形態）
次に、第４の実施の形態について、図４、図１１、図１２を参照して説明する。
【０１３４】
図４は、本実施の形態のマルチチャンネル表示を行うためのデータを作成するＳＴＢの構成を示すブロック図である。
【０１３５】
図１２は、図４に示すＳＴＢ３９が作成したマルチチャンネル表示用データをテレビ画面に表示した例を示す図であり、第１の実施の形態及び第２の実施の形態ですでに説明したものである。
【０１３６】
図１１は、図１２のテレビ画面６５を操作するためのリモコン１７である。リモコン１７には、確定６０、上へ６１、下へ６２、右へ６３、左へ６４の操作ボタンがある。それ以外にも、テレビ受像器の電源のオン／オフ、チャンネルの選択などの操作ボタンがあるが、説明をわかりやすくするために省略してある。
【０１３７】
子画面６８は、画面枠が他の画面とは異なっている。これは、子画面６８にカーソルが位置しているからである。すなわち、リモコン１７の上へ６１、下へ６２、右へ６３、左へ６４の各ボタンを押すと、子画面６８に位置しているカーソルを移動することが出来る。例えば、左へ６４を押すと、カーソルは子画面６８から親画面６６に移動する。また、上へ６１を押すと、カーソルは子画面６８から子画面６７に移動する。そして、確定６０を押すと、カーソルの位置する画面に表示されているチャンネルが親画面６６に表示される。この意味で、カーソルの位置している子画面のことを親画面の次候補になっている子画面と呼ぶことにする。
【０１３８】
図４に戻って、ＳＴＢ３９は、ＰＣＲ抽出部１１ａ〜ｂ、ＰＬＬ部１２ａ〜ｂ、ＳＴＣカウンタ１３ａ〜ｂのセットを２セット持つ点が、第２の実施の形態との相違点である。
【０１３９】
ＰＣＲ抽出部１１ａは、テレビ画面６５の親画面６６または親画面６６の次候補の子画面に表示するチャンネルのＡＶデータからＰＣＲを抽出する手段である。ＰＣＲ抽出部１１ｂは、テレビ画面６５の親画面または親画面６６の次候補になっている子画面に表示するチャンネルで、ＰＣＲ抽出部１１ａでＰＣＲを抽出されるＡＶデータのチャンネルではない方のチャンネルのＡＶデータのＰＣＲを抽出する手段である。
【０１４０】
ＰＬＬ部１２ａは、ＰＣＲ抽出部１１ａで抽出したＰＣＲを用いて、親画面６６または親画面６６の次候補となっている子画面に表示するチャンネルとＰＬＬ同期をとる手段である。ＰＬＬ部１２ｂは、ＰＣＲ抽出部１１ｂで抽出したＰＣＲを用いて、親画面６６または親画面６６の次候補になっている子画面に表示するチャンネルとＰＬＬ同期をとる手段である。すなわち、ＰＬＬ部１２ａ〜ｂは、ＡＶデータの送り手側が時刻基準として用いた２７ＭＨｚの周波数の発振器と発信周波数を同期させる手段である。
【０１４１】
ＳＴＣカウンタ１３ａは、ＰＬＬ部１２ａから得られる２７ＭＨｚのクロックと、ＰＣＲ抽出部１１ａで抽出したＰＣＲの値から、親画面６６または親画面６６の次候補となっている子画面に表示するチャンネルの時刻を再現する手段である。ＳＴＣカウンタ１３ｂは、ＰＬＬ部１２ｂから得られる２７ＭＨｚのクロックと、ＰＣＲ抽出部１１ｂで抽出したＰＣＲの値から、親画面６６または親画面６６の次候補になっている子画面に表示するチャンネルの時刻を再現する手段である。
【０１４２】
次に、このような本実施の形態の動作を第２の実施の形態との相違点を中心に説明する。
【０１４３】
第２の実施の形態では、常時、親画面に表示するチャンネルのＡＶデータのＰＣＲを抽出した。また、常時、親画面に表示するチャンネルとＰＬＬ同期をとった。そして、常時、親画面に表示するチャンネルの時刻を再現し、親画面に表示するチャンネルのＡＶデータのみＡＶ同期をとって、伸長した。
【０１４４】
本実施の形態では、ＰＣＲ抽出部１１ａとＰＣＲ抽出部１１ｂのいずれか一方は必ず親画面６６に表示するチャンネルのＡＶデータのＰＣＲを抽出する。そして、もう一方は、親画面６６の次候補になっている子画面のＰＣＲを抽出する。
【０１４５】
そして、ＰＬＬ部１２ａは、ＰＣＲ抽出部１１ａが親画面６６に表示するチャンネルのＡＶデータのＰＣＲを抽出している時、親画面６６に表示するチャンネルとＰＬＬ同期をとる。またＰＣＲ抽出部１１ａが親画面６６の次候補になっている子画面のＰＣＲを抽出している時、親画面６６の次候補になっている子画面に表示するチャンネルとＰＬＬ同期をとる。ＰＬＬ部１２ｂも同様である。すなわち、ＰＬＬ部１２ａとＰＬＬ部１２ｂは、いずれか一方が親画面６６に表示するチャンネルとＰＬＬ同期をとり、もう一方が親画面６６の次候補になっている子画面に表示するチャンネルとＰＬＬ同期をとる。
【０１４６】
また、ＳＴＣカウンタ１３ａ、ＳＴＣカウンタ１３ｂは、いずれか一方が親画面６６に表示するチャンネルの時刻を再現し、もう一方が親画面６６の次候補になっている子画面に表示するチャンネルの時刻を再現する。
【０１４７】
そして、ＡＶデコーダ４１は、親画面６６に表示するチャンネルのＡＶデータと、親画面６６の次候補になっている子画面に表示するチャンネルのＡＶデータとはＡＶ同期をとりながら伸長し、アナログ信号に変換する。それ以外のＡＶデータについては、ＡＶ同期をとらずに伸長し、アナログ信号に変換する。
【０１４８】
図１２のテレビ画面６５では、親画面６６の次候補になっている子画面は、子画面６８である。この場合、ＡＶデコーダ４１は、親画面６６に表示するチャンネルのＡＶデータと、子画面６８に表示するチャンネルのＡＶデータとをＡＶ同期をとりながら伸長し、アナログデータに変換する。それ以外のＡＶデータはＡＶ同期をとらず、フリーランで伸長し、アナログデータに変換する。
【０１４９】
ここで、リモコン１７の上へ６１を押したとする。そうすると、カーソルの位置が、子画面６７に移動する。つまり、親画面６６の次候補になっている子画面が変更された。この場合、ＰＣＲ抽出部１１ａ〜ｂのいずれか、ＰＬＬ部１２ａ〜ｂのいずれか、ＳＴＣカウンタ１３ａ〜ｂのいずれかは、子画面６８に表示するチャンネルに関しての処理を終了し、子画面６７に関する処理を開始する。
【０１５０】
テレビ画面６５がこのような状態の時、すなわち子画面６７が親画面６６の次候補になっているときに、リモコン１７の確定６０を押すと、子画面６７に表示されていたチャンネルは、親画面６６に表示するようになり、親画面６６に表示されていたチャンネルは、子画面６７に表示されるようになる。つまり、親画面６６と親画面６６の次候補となっているチャンネルが互いに入れ替わる。
【０１５１】
しかし、チャンネルが入れ替わっても、ＳＴＣカウンタ１３ａとＳＴＣカウンタ１３ｂは親画面６６と親画面の次候補となっている子画面に表示するチャンネルの時刻をともに再現している。従って、ＡＶデコーダ４１は、親画面６６に表示するチャンネルのＡＶデータと親画面６６の次候補になっている子画面に表示するチャンネルのＡＶデータとのＡＶ同期を中断することなく処理することが出来る。
【０１５２】
本実施の形態では、第２の実施の形態に比較して、若干装置の規模が大きくなるものの、親画面６６のチャンネルの切替が瞬時にできるようになった。
【０１５３】
（第５の実施の形態）
次に、第５の実施の形態について、図５、図１２を参照して説明する。
【０１５４】
図５は、本実施の形態のマルチチャンネル表示を行うためのデータを作成するＳＴＢの構成を示すブロック図である。
【０１５５】
図１２は、図５に示すＳＴＢ４２が作成したマルチチャンネル表示用データをテレビ画面に表示した例を示す図である。
【０１５６】
図１２では、テレビ画面６５は、４画面から構成されており、第１の実施の形態及び第２の実施の形態と同一のものである。
【０１５７】
図５に示すように、ＳＴＢ４２は、ＢＳチューナ４、ＩＥＥＥ１３９４インターフェース５、トランスポートデコーダ４３、ＡＶデコーダ４４から構成される。
【０１５８】
第１の実施の形態との相違点は、ＰＬＬ部１２ａ〜ｄが４個あった構成から、ＰＬＬ部１２が１個のみの構成となった点である。
【０１５９】
それ以外は、第１の実施の形態と同一であるので記述を省略する。
【０１６０】
ＰＬＬ部１２は、親画面６６に表示するチャンネルとＰＬＬ同期をとる手段である。
【０１６１】
次に、このような本実施の形態の動作を第１の実施の形態との相違点を中心に説明する。
【０１６２】
第１の実施の形態と同様にして、時分割ＰＣＲ抽出部１４は、親画面６６、子画面６７〜６９に表示する各チャンネルのＰＣＲを時分割で抽出する。そして、ＰＬＬ部１２は、抽出された、親画面６６に表示するチャンネルのＰＣＲを使用して、親画面６６に表示するチャンネルとＰＬＬ同期をとる。
【０１６３】
ＳＴＣカウンタ１３ａ〜ｄは、時分割ＰＣＲ抽出部１４で抽出されたＰＣＲとＰＬＬ部１２が生成するクロックを利用して、親画面６６と子画面６７〜６９に表示する各チャンネルの時刻を再現する。
【０１６４】
すなわち、子画面６７〜６９に表示するチャンネルについては、親画面６６に表示するチャンネルのクロックを用いて、その時刻を再現している。
【０１６５】
ＡＶデコーダは、ＳＴＣカウンタ１３ａ〜ｄのカウント値を参照して、親画面６６及び子画面６７〜６９に表示する全てのチャンネルのＡＶデータをＡＶ同期を取りながら、伸長し、アナログ信号に変換する。
【０１６６】
このようにすることによって、第１の実施の形態に比較して、装置規模をさらに小さくすることが出来る。
【０１６７】
（第６の実施の形態）
次に、第６の実施の形態について、図６、図１１、図１２を参照して説明する。
【０１６８】
図６は、本実施の形態のマルチチャンネル表示を行うためのデータを作成するＳＴＢの構成を示すブロック図である。
【０１６９】
図１２は、図６に示すＳＴＢ４５が作成したマルチチャンネル表示用データをテレビ画面に表示した例を示す図であり、第１の実施の形態及び第２の実施の形態ですでに説明したものである。
【０１７０】
図１１は、図１２のテレビ画面６５を操作するためのリモコン１７であり、第４の実施の形態ですでに説明したものである。
【０１７１】
図６において、ＳＴＢ４５は、ＰＣＲ抽出部１１ａ〜ｂを２個持つ点が、第２の実施の形態との相違点である。
【０１７２】
ＰＣＲ抽出部１１ａは、テレビ画面６５の親画面６６または親画面６６の次候補になっている子画面に表示するチャンネルのＡＶデータからＰＣＲを抽出する手段である。ＰＣＲ抽出部１１ｂは、テレビ画面６５の親画面６６または親画面６６の次候補になっている子画面に表示するチャンネルで、ＰＣＲ抽出部１１ａがＰＣＲを抽出しているＡＶデータのチャンネルでない方のチャンネルのＡＶデータのＰＣＲを抽出する手段である。
【０１７３】
ＰＬＬ部１２は、親画面６６に表示するチャンネルとＰＬＬ同期をとる手段である。すなわち、ＡＶデータの送り手側が時刻基準として用いた２７ＭＨｚの周波数の発振器と発信周波数を同期させる手段である。
【０１７４】
ＳＴＣカウンタ１３は、ＰＬＬ部１２から得られる２７ＭＨｚのクロックと、ＰＣＲ抽出部１１ａ〜ｂのいずれかで抽出した親画面６６に表示するチャンネルのＰＣＲの値から、親画面６６に表示するチャンネルの時刻を再現する手段である。
【０１７５】
次に、このような本実施の形態の動作を第２の実施の形態との相違点を中心に説明する。
【０１７６】
第２の実施の形態では、常時、親画面に表示するチャンネルのＡＶデータのＰＣＲを抽出した。また、常時、親画面に表示するチャンネルとＰＬＬ同期をとった。そして、常時、親画面に表示するチャンネルの時刻を再現し、親画面に表示するチャンネルのＡＶデータのみＡＶ同期をとって、伸長した。
【０１７７】
本実施の形態では、ＰＣＲ抽出部１１ａとＰＣＲ抽出部１１ｂのいずれか一方は必ず親画面６６に表示するチャンネルのＡＶデータのＰＣＲを抽出する。そして、もう一方は、親画面６６の次候補になっている子画面のＰＣＲを抽出する。
【０１７８】
ＰＬＬ部１２は、常時、親画面６６に表示するチャンネルとＰＬＬ同期をとる。また、ＳＴＣカウンタ１３は、親画面６６に表示するチャンネルの時刻を再現する。
【０１７９】
ＡＶデコーダ４７は、親画面６６に表示するチャンネルのＡＶデータをＡＶ同期をとりながら伸長し、アナログ信号に変換する。それ以外のＡＶデータについては、ＡＶ同期をとらずに伸長し、アナログ信号に変換する。
【０１８０】
図１２のテレビ画面６５では、親画面６６の次候補になっている子画面は、子画面６８である。この場合、ＡＶデコーダ４７は、親画面６６に表示するチャンネルのＡＶデータをＡＶ同期をとりながら伸長し、アナログデータに変換する。それ以外のＡＶデータはＡＶ同期をとらず、フリーランで伸長し、アナログデータに変換する。
【０１８１】
ここで、リモコン１７の上へ６１を押したとする。そうすると、カーソルの位置が、子画面６７に移動する。つまり、親画面６６の次候補になっている子画面が変更された。この場合、ＰＣＲ抽出部１１ａ〜ｂのいずれかは、子画面６８に表示するチャンネルのＡＶデータを抽出する処理を終了し、子画面６７に表示するチャンネルのＰＣＲを抽出する処理を開始する。
【０１８２】
テレビ画面６５がこのような状態の時、すなわち子画面６７が親画面６６の次候補になっているときに、リモコン１７の確定６０を押すと、子画面６７に表示されていたチャンネルは、親画面６６に表示されるようになり、親画面６６に表示されていたチャンネルは、子画面６７に表示されるようになる。つまり、親画面６６と親画面６６の次候補となっているチャンネルが互いに入れ替わる。
【０１８３】
このように親画面６６と子画面６７に表示するチャンが入れ替わった時、ＰＬＬ部１２は、ＰＣＲ抽出部１１ａ〜ｂのいずれかがそれまで抽出していた新たに親画面６６に表示されるようになったチャンネルのＡＶデータのＰＣＲをも用いて、新たに親画面６６に表示されるようになったチャンネルとＰＬＬ同期をとることを開始する。
【０１８４】
そして、ＳＴＣカウンタ１３は、新たに親画面６６に表示されるようになったチャンネルの時刻を再現する。
【０１８５】
ＡＶデコーダ４７は、それまで親画面６６に表示されていたチャンネルのＡＶデータのＡＶ同期をとることを中止する。それと同時に、ＡＶデコーダ４７は、新たに親画面６６に表示されるようになったチャンネルのＡＶデータをＡＶ同期をとることを開始する。
【０１８６】
本実施の形態では、ＰＣＲ抽出部１１ａ〜ｂが親画面６６に表示されているチャンネルと親画面６６の次候補となっているチャンネルのＡＶデータのＰＣＲをともに抽出している。このことによって、親画面６６と親画面６６の次候補となっているチャンネルが入れ替わった場合でも、それまでに抽出していた、新たに親画面６６に表示されるようになったチャンネルのＰＣＲをも利用して、ＰＬＬ同期をとることが出来る。従って、第２の実施の形態のようにＰＬＬ同期をとるために親画面６６に表示するチャンネルの次のＰＣＲが到着するのを待つ時間を短縮することが出来る。従って、第２の実施の形態に比較して、若干装置の規模が大きくなるものの、親画面６６のチャンネルの切替を迅速に行うことが出来る。
【０１８７】
（第７の実施の形態）
次に、第７の実施の形態について、図７、図１１、図１２を参照して説明する。
【０１８８】
図７は、本実施の形態のマルチチャンネル表示を行うためのデータを作成するＳＴＢの構成を示すブロック図である。
【０１８９】
図１２は、図７に示すＳＴＢ４８が作成したマルチチャンネル表示用データをテレビ画面に表示した例を示す図であり、第１の実施の形態及び第２の実施の形態ですでに説明したものである。
【０１９０】
図１１は、図１２のテレビ画面６５を操作するためのリモコン１７であり、第４の実施の形態ですでに説明したものである。
【０１９１】
図７において、ＳＴＢ４８は、ＰＣＲ抽出部１１ａ〜ｂを２個持ち、ＳＴＣカウンタ１３ａ〜ｂも２個持つ点が、第２の実施の形態との相違点である。
【０１９２】
ＰＣＲ抽出部１１ａは、テレビ画面６５の親画面６６または親画面６６の次候補になっている子画面に表示するチャンネルのＡＶデータからＰＣＲを抽出する手段である。ＰＣＲ抽出部１１ｂは、テレビ画面６５の親画面６６または親画面６６の次候補になっている子画面に表示するチャンネルで、ＰＣＲ抽出部１１ａがＰＣＲを抽出しているＡＶデータのチャンネルでない方のチャンネルのＡＶデータのＰＣＲを抽出する手段である。
【０１９３】
ＰＬＬ部１２は、親画面６６に表示するチャンネルとＰＬＬ同期をとる手段である。すなわち、ＡＶデータの送り手側が時刻基準として用いた２７ＭＨｚの周波数の発振器と発信周波数を同期させる手段である。
【０１９４】
ＳＴＣカウンタ１３ａ〜ｂは、ＰＬＬ部１２から得られる２７ＭＨｚのクロックと、ＰＣＲ抽出部１１ａ〜ｂで抽出した親画面６６と親画面６６の次候補になっている子画面に表示するチャンネルのＰＣＲの値から、親画面６６に表示するチャンネルと親画面６６の次候補になっている子画面の２つの時刻を再現する手段である。
【０１９５】
次に、このような本実施の形態の動作を第２の実施の形態との相違点を中心に説明する。
【０１９６】
第２の実施の形態では、常時、親画面に表示するチャンネルのＡＶデータのＰＣＲを抽出した。また、常時、親画面に表示するチャンネルとＰＬＬ同期をとった。そして、常時、親画面に表示するチャンネルの時刻を再現し、親画面に表示するチャンネルのＡＶデータのみＡＶ同期をとって、伸長した。
【０１９７】
本実施の形態では、ＰＣＲ抽出部１１ａとＰＣＲ抽出部１１ｂのいずれか一方は必ず親画面６６に表示するチャンネルのＡＶデータのＰＣＲを抽出する。そして、もう一方は、親画面６６の次候補になっている子画面のＰＣＲを抽出する。
【０１９８】
ＰＬＬ部１２は、常時、親画面６６に表示するチャンネルとＰＬＬ同期をとる。
【０１９９】
また、ＳＴＣカウンタ１３ａ〜ｂは、親画面６６に表示するチャンネルの時刻を再現するとともに、ＰＬＬ部１２のクロックを利用して親画面６６の次候補になっている子画面に表示するチャンネルの時刻をも再現する。
【０２００】
そして、ＡＶデコーダ５０は、親画面６６に表示するチャンネルのＡＶデータをＡＶ同期をとりながら伸長し、アナログ信号に変換する。また、親画面６６の次候補になっている子画面に表示するチャンネルのＡＶデータをもＡＶ同期を取りながら伸長し、アナログ信号に変換する。それ以外のＡＶデータについては、ＡＶ同期をとらずに伸長し、アナログ信号に変換する。
【０２０１】
図１２のテレビ画面６５では、親画面６６の次候補になっている子画面は、子画面６８である。この場合、ＡＶデコーダ５０は、親画面６６に表示するチャンネルのＡＶデータをＡＶ同期をとりながら伸長し、アナログデータに変換する。それ以外のＡＶデータはＡＶ同期をとらず、フリーランで伸長し、アナログデータに変換する。
【０２０２】
ここで、リモコン１７の上へ６１を押したとする。そうすると、カーソルの位置が、子画面６７に移動する。つまり、親画面６６の次候補になっている子画面が変更された。この場合、ＰＣＲ抽出部１１ａ〜ｂのいずれかは、子画面６８に表示するチャンネルのＡＶデータを抽出する処理を終了し、子画面６７に表示するチャンネルのＰＣＲを抽出する処理を開始する。
【０２０３】
テレビ画面６５がこのような状態の時、すなわち子画面６７が親画面６６の次候補になっているときに、リモコン１７の確定６０を押すと、子画面６７に表示されていたチャンネルは、親画面６６に表示されるようになり、親画面６６に表示されていたチャンネルは、子画面６７に表示されるようになる。つまり、親画面６６と親画面６６の次候補となっているチャンネルが互いに入れ替わる。
【０２０４】
このように親画面６６と子画面６７に表示するチャンが入れ替わった時、ＰＬＬ部１２は、ＰＣＲ抽出部１１ａ〜ｂのいずれかがそれまで抽出していた新たに親画面６６に表示されるようになったチャンネルのＡＶデータのＰＣＲをも用いて、新たに親画面６６に表示されるようになったチャンネルとＰＬＬ同期をとることを開始する。
【０２０５】
そして、ＳＴＣカウンタ１３ａ〜ｂは、親画面６６に表示されるチャンネルの時刻と親画面６６の次候補になっている子画面に表示されるチャンネルの時刻を再現する。ただし、新たに親画面６６に表示されるようになったチャンネルについては、新たにＰＬＬ部１２がＰＬＬ同期をとるようになる。従って、親画面６６に表示されるようになったチャンネルについては、ＳＴＣカウンタ１３ａ〜ｂのいずれかが、自らのチャンネルとＰＬＬ同期をとったクロックを用いて、その時刻を再現するようになる。
【０２０６】
ＡＶデコーダ５０は、それまで親画面６６に表示されていたチャンネルのＡＶデータのＡＶ同期をとるとともに、新たに親画面６６に表示されるようになったチャンネルのＡＶデータをＡＶ同期をとる。
【０２０７】
本実施の形態では、ＳＴＣカウンタ１３ａ〜ｂが親画面６６に表示されているチャンネルと親画面６６の次候補となっているチャンネルの時刻をともに再現している。このことによって、親画面６６と親画面６６の次候補となっているチャンネルが入れ替わった場合でも、それまでに再現していた時刻を継続して利用することが出来るので、ＡＶ同期を継続してとることが出来る。従って、第２の実施の形態に比較して、若干装置の規模が大きくなるものの、親画面６６のチャンネルの切替を迅速に行うことが出来る。
【０２０８】
（第８の実施の形態）
次に、第８の実施の形態について、図８、図１２を参照して説明する。
【０２０９】
図８は、本実施の形態のマルチチャンネル表示を行うためのデータを作成するＳＴＢの構成を示すブロック図である。
【０２１０】
図１２は、図８に示すＳＴＢ５１が作成したマルチチャンネル表示用データをテレビ画面に表示した例を示す図であり、第１の実施の形態及び第２の実施の形態ですでに説明したものである。
【０２１１】
図８において、ＳＴＢ５１は、ＰＣＲ抽出部１１ａ〜ｄを４個持ち、ＳＴＣカウンタ１３ａ〜ｄも４個持つ点が、第２の実施の形態との相違点である。すなわちＰＣＲ抽出部１１ａ〜ｄ、ＳＴＣカウンタ１３ａ〜ｄをテレビ画面６５を構成する画面の数と同じ個数だけ持つ。
【０２１２】
ＰＣＲ抽出部１１ａ〜ｄは、テレビ画面６５の親画面６６と子画面６７〜６９に表示するチャンネルすべてのＡＶデータからＰＣＲを抽出する手段である。
【０２１３】
ＰＬＬ部１２は、親画面６６に表示するチャンネルとＰＬＬ同期をとる手段である。すなわち、ＡＶデータの送り手側が時刻基準として用いた２７ＭＨｚの周波数の発振器と発信周波数を同期させる手段である。
【０２１４】
ＳＴＣカウンタ１３ａ〜ｄは、ＰＬＬ部１２から得られる２７ＭＨｚのクロックと、ＰＣＲ抽出部１１ａ〜ｄで抽出した親画面６６と子画面６７〜６９に表示するすべてのチャンネルのＰＣＲの値から、親画面６６と子画面６７〜６９に表示するすべてのチャンネルの時刻を再現する手段である。
【０２１５】
次に、このような本実施の形態の動作を第２の実施の形態との相違点を中心に説明する。
【０２１６】
第２の実施の形態では、常時、親画面に表示するチャンネルのＡＶデータのＰＣＲを抽出した。また、常時、親画面に表示するチャンネルとＰＬＬ同期をとった。そして、常時、親画面に表示するチャンネルの時刻を再現し、親画面に表示するチャンネルのＡＶデータのみＡＶ同期をとって、伸長した。
【０２１７】
本実施の形態では、ＰＣＲ抽出部１１ａ〜ｄが、親画面６６と子画面６７〜６９のすべてのチャンネルのＡＶデータを抽出する。すなわち、ＰＣＲ抽出部１１ａは、親画面６６に表示するチャンネルのＡＶデータのＰＣＲを抽出する。ＰＣＲ抽出部１１ｂは、子画面６７に表示するチャンネルのＡＶデータのＰＣＲを抽出する。ＰＣＲ抽出部１１ｃは、子画面６８に表示するチャンネルのＡＶデータのＰＣＲを抽出する。ＰＣＲ抽出部１１ｄは、子画面６９に表示するチャンネルのＡＶデータのＰＣＲを抽出する。
【０２１８】
そして、ＰＬＬ部１２は、常時、親画面６６に表示するチャンネルとＰＬＬ同期をとる。
【０２１９】
また、ＳＴＣカウンタ１３ａ〜ｄは、親画面６６と子画面６７〜６９に表示するすべてのチャンネルの時刻を再現する。
【０２２０】
そして、ＡＶデコーダ５３は、親画面６６と子画面６７〜６９に表示するすべてのチャンネルのＡＶデータをＡＶ同期をとりながら伸長し、アナログ信号に変換する。
【０２２１】
本実施の形態では、ＡＶデコーダ５３が常時すべてのＡＶデータをＡＶ同期を取りながら、伸長し、アナログ信号に変換することが出来る。従って、第２の実施の形態に比較して、若干装置の規模が大きくなるものの、親画面６６と子画面６７〜６９のチャンネルの切替を瞬時に行うことが出来る。
【０２２２】
（第９の実施の形態）
次に、第９の実施の形態について、図９、図１２を参照して説明する。
【０２２３】
図９は、本実施の形態のマルチチャンネル表示を行うためのデータを作成するＳＴＢの構成を示すブロック図である。
【０２２４】
図１２は、図９に示すＳＴＢ５４が作成したマルチチャンネル表示用データをテレビ画面に表示した例を示す図であり、第１の実施の形態及び第２の実施の形態ですでに説明したものである。
【０２２５】
図９において、ＳＴＢ５４は、ＰＣＲ抽出部１１ａ〜ｄを４個持ち、差分計算部１５を持つ点が、第２の実施の形態との相違点である。すなわちＰＣＲ抽出部１１ａ〜ｄをテレビ画面６５を構成する画面の数と同じ個数だけ持つ。
【０２２６】
ＰＣＲ抽出部１１ａ〜ｄは、テレビ画面６５の親画面６６と子画面６７〜６９に表示するチャンネルすべてのＡＶデータからＰＣＲを抽出する手段である。
【０２２７】
ＰＬＬ部１２は、親画面６６に表示するチャンネルとＰＬＬ同期をとる手段である。すなわち、放送局の符号器がデータを符号化する際に時刻基準として用いた２７ＭＨｚの周波数の発振器と発信周波数を同期させる手段である。
【０２２８】
ＳＴＣカウンタ１３は、ＰＬＬ部１２から得られる２７ＭＨｚのクロックと、ＰＣＲ抽出部１１ａ〜ｄで抽出した親画面６６に表示するチャンネルのＰＣＲの値から、親画面６６に表示するチャンネルの時刻を再現する手段である。
【０２２９】
差分計算部１５は、子画面６７〜６９に表示するチャンネルのＡＶデータのＰＣＲが到着した時に、そのＰＣＲと親画面に表示するチャンネルの時刻との差分を計算し、保持しておく手段である。
【０２３０】
次に、このような本実施の形態の動作を第２の実施の形態との相違点を中心に説明する。
【０２３１】
第２の実施の形態では、常時、親画面に表示するチャンネルのＡＶデータのＰＣＲを抽出した。また、常時、親画面に表示するチャンネルとＰＬＬ同期をとった。そして、常時、親画面に表示するチャンネルの時刻を再現し、親画面に表示するチャンネルのＡＶデータのみＡＶ同期をとって、伸長した。
【０２３２】
本実施の形態では、ＰＣＲ抽出部１１ａ〜ｄが、親画面６６と子画面６７〜６９のすべてのチャンネルのＡＶデータを抽出する。すなわち、ＰＣＲ抽出部１１ａは、親画面６６に表示するチャンネルのＡＶデータのＰＣＲを抽出する。ＰＣＲ抽出部１１ｂは、子画面６７に表示するチャンネルのＡＶデータのＰＣＲを抽出する。ＰＣＲ抽出部１１ｃは、子画面６８に表示するチャンネルのＡＶデータのＰＣＲを抽出する。ＰＣＲ抽出部１１ｄは、子画面６９に表示するチャンネルのＡＶデータのＰＣＲを抽出する。
【０２３３】
ＰＬＬ部１２は、常時、親画面６６に表示するチャンネルとＰＬＬ同期をとる。
【０２３４】
また、ＳＴＣカウンタ１３は、親画面６６に表示するチャンネルの時刻を再現する。
【０２３５】
差分計算部１５は、子画面６７〜６９に表示するチャンネルのＰＣＲが抽出された時、そのＰＣＲとその時点のＳＴＣカウンタ１３の示す時刻との差分を計算する。
【０２３６】
そして、ＡＶデコーダ５６は、ＳＴＣカウンタ１３の示す時刻を参照しながら親画面６６に表示するチャンネルのＡＶデータをＡＶ同期をとりながら伸長し、アナログ信号に変換する。
【０２３７】
また、ＡＶデコーダ５６は、子画面６７〜６９に表示するチャンネルのＡＶデータについてもＡＶ同期をとる。すなわち、ＳＴＣカウンタ１３の示す時刻に差分計算部１５で計算され保持されている差分を加えた値とＡＶデータのタイムスタンプを比較しながら、処理のタイミングを決定する。このように、子画面６７〜６９に表示するチャンネルのＡＶデータについては、ＳＴＣカウンタ１３と差分計算部１５に保持されている差分値との和をそのチャンネルの時刻とみなして、ＡＶ同期をとりながら、伸長し、アナログ信号に変換する。
【０２３８】
本実施の形態では、ＡＶデコーダ５６が常時すべてのＡＶデータをＡＶ同期を取りながら、伸長し、アナログ信号に変換することが出来る。従って、第２の実施の形態に比較して、若干装置の規模が大きくなるものの、親画面６６と子画面６７〜６９のチャンネルの切替を瞬時に行うことが出来る。
【０２３９】
（第１０の実施の形態）
次に、第１０の実施の形態について、図１０、図１２を参照して説明する。
【０２４０】
図１０は、本実施の形態のマルチチャンネル表示を行うためのデータを作成するＳＴＢの構成を示すブロック図である。
【０２４１】
図１２は、図１０に示すＳＴＢ５７が作成したマルチチャンネル表示用データをテレビ画面に表示した例を示す図であり、第１の実施の形態及び第２の実施の形態ですでに説明したものである。
【０２４２】
図１０において、ＳＴＢ５７は、ＰＣＲ抽出部１１ａ〜ｄを４個持ち、差分計算部１５を持ち、タイムスタンプ書き替え部１６を持つ点が、第２の実施の形態との相違点である。すなわちＰＣＲ抽出部１１ａ〜ｄをテレビ画面６５を構成する画面の数と同じ個数だけ持つ。
【０２４３】
ＰＣＲ抽出部１１ａ〜ｄは、テレビ画面６５の親画面６６と子画面６７〜６９に表示するチャンネルすべてのＡＶデータからＰＣＲを抽出する手段である。
【０２４４】
ＰＬＬ部１２は、親画面６６に表示するチャンネルとＰＬＬ同期をとる手段である。すなわち、放送局の符号器がデータを符号化する際に時刻基準として用いた２７ＭＨｚの周波数の発振器と発信周波数を同期させる手段である。
【０２４５】
ＳＴＣカウンタ１３は、ＰＬＬ部１２から得られる２７ＭＨｚのクロックと、ＰＣＲ抽出部１１ａ〜ｄで抽出した親画面６６に表示するチャンネルのＰＣＲの値から、親画面６６に表示するチャンネルの時刻を再現する手段である。
【０２４６】
差分計算部１５は、子画面６７〜６９に表示するチャンネルのＡＶデータのＰＣＲが到着した時に、そのＰＣＲと親画面に表示するチャンネルの時刻との差分を計算し、保持しておく手段である。
【０２４７】
タイムスタンプ書き替え部１６は、差分計算部１５が保持している差分を利用して、子画面６７〜６９に表示するチャンネルのＡＶデータのタイムスタンプを、親画面６６に表示するチャンネルの時刻に換算し、書き替える手段である。
【０２４８】
次に、このような本実施の形態の動作を第２の実施の形態との相違点を中心に説明する。
【０２４９】
第２の実施の形態では、常時、親画面に表示するチャンネルのＡＶデータのＰＣＲを抽出した。また、常時、親画面に表示するチャンネルとＰＬＬ同期をとった。そして、常時、親画面に表示するチャンネルの時刻を再現し、親画面に表示するチャンネルのＡＶデータのみＡＶ同期をとって、伸長した。
【０２５０】
本実施の形態では、ＰＣＲ抽出部１１ａ〜ｄが、親画面６６と子画面６７〜６９のすべてのチャンネルのＡＶデータを抽出する。すなわち、ＰＣＲ抽出部１１ａは、親画面６６に表示するチャンネルのＡＶデータのＰＣＲを抽出する。ＰＣＲ抽出部１１ｂは、子画面６７に表示するチャンネルのＡＶデータのＰＣＲを抽出する。ＰＣＲ抽出部１１ｃは、子画面６８に表示するチャンネルのＡＶデータのＰＣＲを抽出する。ＰＣＲ抽出部１１ｄは、子画面６９に表示するチャンネルのＡＶデータのＰＣＲを抽出する。
【０２５１】
そして、ＰＬＬ部１２は、常時、親画面６６に表示するチャンネルとＰＬＬ同期をとる。
【０２５２】
また、ＳＴＣカウンタ１３は、親画面６６に表示するチャンネルの時刻を再現する。
【０２５３】
差分計算部１５は、子画面６７〜６９に表示するチャンネルのＰＣＲが抽出された時、そのＰＣＲとその時点のＳＴＣカウンタ１３の示す時刻との差分を計算する。
【０２５４】
さらに、タイムスタンプ書き替え部１６は、差分計算部１５が保持している、子画面６７〜６９に表示する各チャンネルの差分を対応するＡＶデータのタイムスタンプの値から差し引いた値にタイムスタンプを書き替える。
【０２５５】
そして、ＡＶデコーダ５９は、ＳＴＣカウンタ１３の示す時刻を参照しながら親画面６６に表示するチャンネルのＡＶデータをＡＶ同期をとりながら伸長し、アナログ信号に変換する。
【０２５６】
また、ＡＶデコーダ５９は、子画面６７〜６９に表示するチャンネルのＡＶデータについてもＡＶ同期をとる。すなわち、ＳＴＣカウンタ１３の示す時刻と書き替えられたタイムスタンプを比較しながら、処理のタイミングを決定する。このように、子画面６７〜６９に表示するチャンネルのＡＶデータについては、タイムスタンプを書き替えることによって、親画面６６に表示するチャンネルの時刻に換算することが出来るので、単一のＳＴＣカウンタ１３とＡＶ同期をとりながら、伸長し、アナログ信号に変換することが出来る。
【０２５７】
本実施の形態では、ＡＶデコーダ５９が常時すべてのＡＶデータをＡＶ同期を取りながら、伸長し、アナログ信号に変換することが出来る。従って、第２の実施の形態に比較して、若干装置の規模が大きくなるものの、親画面６６と子画面６７〜６９のチャンネルの切替を瞬時に行うことが出来る。
【０２５８】
（第１１の実施の形態）
次に、第１１の実施の形態について、図１６を参照して説明する。
【０２５９】
図１６は、ＰＬＬ部１２の構成を示したブロック図である。
【０２６０】
このようなＰＬＬ部１２は、第１〜１０の各実施の形態で説明したＳＴＢが有するＰＬＬ部として使用することが出来る。
【０２６１】
ＰＬＬ部１２は、検出したＰＣＲ保持部８１、引き算器８２、差分値８３、初期値の差分値保持部８４、引き算器８５、電圧制御発振器８６、カウンタ８７、カウンタ値読み取り部８８、切替スイッチ８９から構成される。
【０２６２】
また、ＰＬＬ部１２には、２個のＰＣＲ抽出部１１ａ〜ｂ、１個のＳＴＣカウンタ１３が接続されている。
【０２６３】
検出したＰＣＲ保持部８１は、ＰＣＲ抽出部１１ａ〜ｂのいずれかが検出したＰＣＲの値を読み取り、保持する手段である。引き算器８２は、検出したＰＣＲの値を、ＰＣＲを検出した時点でのカウンタ値から引き算する手段である。初期値の差分値保持部８４は、チャンネルのＡＶデータから最初にＰＣＲを検出した値とその時のカウンタ値の差分値を保持する手段である。引き算器８５は、差分値８３を初期値の差分値保持部８４に保持されている値から引き算する手段である。
【０２６４】
電圧制御発振器８６は、引き算器８５から出力された値の絶対値が小さくなるように発振周波数を変化させる発振器である。カウンタ８７は、電圧制御発振器８６が発生するクロックで時刻をカウントする手段である。
【０２６５】
カウンタ値読み取り部８８は、ＰＣＲ抽出部１１ｂがＰＣＲを検出したタイミングで、カウンタ８７の示すカウント値を読み取る手段である。切替スイッチ８９は、ＰＣＲを抽出するＡＶデータのチャンネルを切り替える手段である。
【０２６６】
次にこのような本実施の形態の動作を説明する。
【０２６７】
ＰＬＬ部１２は、ＰＣＲ抽出部１１ａが抽出していたＰＣＲとＰＬＬ同期をとっていたとする。そして、画面に表示するチャンネルが変更になったり、親画面と子画面に表示するチャンネルが入れ替わったりして、ＰＣＲ抽出部１１ａが抽出していたＰＣＲではなく、別のチャンネルのＰＣＲとＰＬＬ同期を新たにとることになったとする。
【０２６８】
この場合、切替スイッチ８９は、ＰＣＲ抽出部１１ａからのＰＣＲを読み込むことを終了し、新たにＰＣＲ抽出部１１ｂが抽出したＰＣＲを読み込むようにする。
【０２６９】
まず、ＰＣＲ抽出部１１ｂが最初にＰＣＲを抽出すると、検出したＰＣＲ保持部８１は最初に検出したＰＣＲ値を読み取り、保持する。同時にＰＣＲ抽出部１１ｂは、最初に検出したＰＣＲを検出したタイミングで、ＰＣＲを検出したことを示すパルス信号を発生する。カウンタ値読み取り部８８は、このＰＣＲ検出パルスが送られてくると、そのタイミングで、カウンタ８７の示すカウント値を読み取る。そして、引き算器８２は、検出したＰＣＲ保持部８１に保持されている最初に検出したＰＣＲ値とカウンタ値読み取り部８８で読み取られたカウンタ値の差分を計算する。その差分値８３は、初期値の差分値保持部８４に保持される。
【０２７０】
さらに、ＰＣＲ抽出部１１ｂが２番目のＰＣＲを抽出すると、検出したＰＣＲ保持部８１は２番目に検出したＰＣＲ値を読み取り、保持する。同時にＰＣＲ抽出部１１ｂは、ＰＣＲを検出したタイミングで、ＰＣＲを検出したことを示すパルス信号を発生する。カウンタ値読み取り部８８は、このＰＣＲ検出パルスが送られてくると、そのタイミングで、カウンタ８７の示すカウント値を読み取る。そして、引き算器８２は、検出したＰＣＲ保持部８１に保持されているＰＣＲ値とカウンタ値読み取り部８８で読み取られたカウンタ値の差分を計算する。引き算器８５は差分値８３と初期値の差分値保持部８４に保持されている差分値との差分値を計算する。電圧制御発振器８６は、引き算器８５で計算した差分値の絶対値が小さくなるように、発振周波数を変更する。
【０２７１】
さらに、ＰＣＲ抽出部１１ｂが３番目以降のＰＣＲを抽出すると、２番目の場合と同様の処理を行う。そして、引き算器８５は、３番目以降のＰＣＲに関する差分値８３と初期値の差分値保持部８４に保持されている差分値との差分値を計算する。電圧制御発振器８６は、引き算器８５で計算した差分値の絶対値が小さくなるように、発信周波数を変更する。
【０２７２】
ＰＬＬ部１２は、このようにして、検出したＰＣＲに基づいてＰＬＬ同期をとる。
【０２７３】
そして、ＳＴＣカウンタ１３は、ＰＣＲ抽出部１１ｂで抽出したＰＣＲ値をロードし、その値を電圧制御発振器８６が発生するクロックでカウントアップする。このようにして、ＳＴＣカウンタ１３は、チャンネルの時刻を再現する。
【０２７４】
ＳＴＣカウンタ１３が、ＰＣＲ抽出部１１ｂがＰＣＲを抽出するＡＶデータのチャンネルとは別のチャンネルのＡＶデータのＰＣＲをロードすることも可能である。すなわち、ＰＣＲ抽出部１１ａが検出したＰＣＲ値をロードし、電圧制御発振器８６のクロックに基づいてその値をカウントアップすることも可能である。
【０２７５】
このような場合は、第１〜１０の実施の形態で、ＰＣＲ抽出部がＰＣＲを抽出するチャンネルよりＰＬＬ部の個数が少ない場合に適用することが出来る。
【０２７６】
以上のようにＰＬＬ部１２は、初期値の差分値を保持し、この差分値と、ＰＣＲ値とカウンタ値との差分値との差分をとり、この差分値の絶対値が小さくなるように発信周波数を変化させていく。従って、チャンネルの変更や、親画面と子画面でチャンネルが入れ替わったりするなどして、ＰＬＬ部１２が読み込むＰＣＲ値が全く別の系統のものになっても、ＰＬＬ部１２は安定してＰＬＬ同期をとることが出来る。
【０２７７】
なお、第１〜１０の各実施の形態では、それぞれ各画面に表示するチャンネル毎にＡＶデータに付加されるＰＣＲが異なっていることを前提にして説明した。
【０２７８】
ところが、１つのＭＰＥＧトランスポートストリームには通常複数チャンネルのＡＶデータが多重化されて放送局から放送されるが、このように同一のＭＥＰＧトランスポートストリームに属する異なったチャンネルで共通のＰＣＲが用いられることがある。このように、チャンネル毎に異なったＰＣＲを付加するのではなく、ＭＰＥＧトランスポートストリーム毎に異なったＰＣＲが付加されることがある。このような場合、上記第１〜１０の各実施の形態を以下のように読み替えるものとする。
【０２７９】
すなわち、上記各実施の形態では、時分割ＰＣＲ抽出部は、テレビ画面に表示するチャンネルのＡＶデータからチャンネル毎にＰＣＲを抽出すると記述している場合、これを、時分割ＰＣＲ抽出部は、テレビ画面に表示するチャンネルが属するＭＰＥＧトランスポートストリーム毎のＰＣＲをＭＰＥＧトランスポートストリーム毎に抽出すると読み替える。
【０２８０】
また、上記各実施の形態では、チャンネル毎に異なった時刻基準のＰＣＲが付加されていると記述している場合、これをチャンネルが属するＭＰＥＧトランスポートストリーム毎に異なった時刻基準のＰＣＲが付加されていると読み替える。
【０２８１】
また、ＳＴＣカウンタは、親画面に表示するチャンネルの時刻を再現すると記述されている場合、これを、ＳＴＣカウンタは、親画面に表示するチャンネルが属するＭＰＥＧトランスポートストリームに含まれるチャンネルの時刻を再現すると読み替える。
【０２８２】
また、ＳＴＣカウンタは、子画面に表示するチャンネルの時刻を再現すると記述されている場合、これを、ＳＴＣカウンタは、子画面に表示するチャンネルが属するＭＰＥＧトランスポートストリームに含まれるチャンネルの時刻を再現すると読み替える。
【０２８３】
また、ＰＣＲ抽出部は、親画面に表示するチャンネルのＰＣＲを抽出すると記述している場合、これを、ＰＣＲ抽出部は、親画面に表示するチャンネルが属するＭＰＥＧトランスポートストリームに含まれるチャンネルのＰＣＲを抽出すると読み替える。
【０２８４】
また、ＰＣＲ抽出部は、親画面の次候補の子画面に表示するチャンネルのＰＣＲを抽出すると記述している場合、これをＰＣＲ抽出部は、親画面の次候補の子画面に表示するチャンネルが属するＭＰＥＧトランスポートストリームに含まれるチャンネルのＰＣＲを抽出すると読み替えるものとする。
【０２８５】
また、ＳＴＣカウンタは、親画面の次候補の子画面に表示するチャンネルの時刻を再現すると記述されている場合、これをＳＴＣカウンタは、親画面の次候補の子画面に表示するチャンネルが属するＭＰＥＧトランスポートストリームに含まれるチャンネルの時刻を再現すると読み替える。
【０２８６】
また、ＰＬＬ部は、親画面に表示するチャンネルとＰＬＬ同期を取ると記述している場合、これを、ＰＬＬ部は、親画面に表示するチャンネルが属するＭＰＥＧトランスポートストリームに含まれるチャンネルとＰＬＬ同期を取ると読み替える。
【０２８７】
さらに、ＡＶデータに付加されているＰＣＲが放送局毎に異なることが考えられる。すなわち、一つの放送局が同時に複数のトランスポンダを使用して番組を放送したり、一つの放送局が、一つのトランスポンダの伝送帯域のうちの一部分のみを使用して番号を放送したりする場合がある。そして、同一の放送局が放送するＡＶデータにはすべて共通のＰＣＲを付加する場合が起こりうる。このように、チャンネル毎に異なったＰＣＲを付加するのではなく、放送局毎に異なったＰＣＲが付加されることがある。このような場合、上記第１〜１０の各実施の形態を以下のように読み替えるものとする。
【０２８８】
すなわち、上記各実施の形態では、時分割ＰＣＲ抽出部は、テレビ画面に表示するチャンネルのＡＶデータからチャンネル毎にＰＣＲを抽出すると記述している場合、これを、時分割ＰＣＲ抽出部は、テレビ画面に表示するチャンネルが属する放送局毎のＰＣＲを放送局毎に抽出すると読み替える。
【０２８９】
また、上記各実施の形態では、チャンネル毎に異なった時刻基準のＰＣＲが付加されていると記述している場合、これをチャンネルが属する放送局毎に異なった時刻基準のＰＣＲが付加されていると読み替える。
【０２９０】
また、ＳＴＣカウンタは、親画面に表示するチャンネルの時刻を再現すると記述されている場合、これを、ＳＴＣカウンタは、親画面に表示するチャンネルが属する放送局に含まれるチャンネルの時刻を再現すると読み替える。
【０２９１】
また、ＳＴＣカウンタは、子画面に表示するチャンネルの時刻を再現すると記述されている場合、これを、ＳＴＣカウンタは、子画面に表示するチャンネルが属する放送局に含まれるチャンネルの時刻を再現すると読み替える。
【０２９２】
また、ＰＣＲ抽出部は、親画面に表示するチャンネルのＰＣＲを抽出すると記述している場合、これを、ＰＣＲ抽出部は、親画面に表示するチャンネルが属する放送局に含まれるチャンネルのＰＣＲを抽出すると読み替える。
【０２９３】
また、ＰＣＲ抽出部は、親画面の次候補の子画面に表示するチャンネルのＰＣＲを抽出すると記述している場合、これをＰＣＲ抽出部は、親画面の次候補の子画面に表示するチャンネルが属する放送局に含まれるチャンネルのＰＣＲを抽出すると読み替えるものとする。
【０２９４】
また、ＳＴＣカウンタは、親画面の次候補の子画面に表示するチャンネルの時刻を再現すると記述されている場合、これをＳＴＣカウンタは、親画面の次候補の子画面に表示するチャンネルが属する放送局に含まれるチャンネルの時刻を再現すると読み替える。
【０２９５】
また、ＰＬＬ部は、親画面に表示するチャンネルとＰＬＬ同期を取ると記述している場合、これを、ＰＬＬ部は、親画面に表示するチャンネルが属する放送局に含まれるチャンネルとＰＬＬ同期を取ると読み替える。
【０２９６】
なお、本実施の形態のＰＣＲ抽出部は本発明のＰＣＲ抽出手段の例であり、本実施の形態の時分割ＰＣＲ抽出部は本発明のＰＣＲ抽出手段の例であり、本実施の形態のＰＬＬ部は本発明のＰＬＬ手段の例であり、本実施の形態のＳＴＣカウンタは本発明のＳＴＣカウンタ手段の例であり、本実施の形態のＡＶデコーダは本発明のＡＶデコード手段の例であり、本実施の形態のＡＶデコーダは本発明の出力手段を兼ねており、本実施の形態の差分計算部は本発明の差分計算手段の例であり、本実施の形態のタイムスタンプ書き替え部は本発明のタイムスタンプ書き替え手段の例である。さらに、本実施の形態のテレビ画面は本発明のマルチ画面の例であるり、本実施のＭＰＥＧトランスポートストリームは本発明の所定の伝送単位の例であり、本実施の形態の放送局は本発明の所定の伝送単位の例であり、本実施の形態のチャンネルは本発明の所定の伝送単位の例である。
【０２９７】
さらに、第１〜１０の実施の形態では、図１２のテレビ画面６５のように表示するとして説明したがこれに限らない。図１３のテレビ画面７０のように表示しても構わない。テレビ画面７０は、親画面７１、子画面７２〜７４が同一の大きさである。また、図１４のテレビ画面７５のように表示しても構わない。テレビ７５は、親画面７６の中に子画面７７が表示されている。また、図１５のテレビ画面７８のように表示しても構わない。テレビ画面７８では、親画面７９と子画面８０が同一のサイズで表示されており、２枚の画面しかない場合である。この場合、親画面７９の次候補である子画面は、常に子画面８０になる。要するに、親画面と子画面の配置や大きさを自由にレイアウトしたテレビ画面であって、子画面の画面数も任意の枚数であるテレビ画面でありさえすればよい。
【０２９８】
さらに、第１〜１０の実施の形態では、ＰＬＬ部が１つしかない場合に、親画面に表示するチャンネルとＰＬＬ同期をとる場合を主に説明したが、これに限らない。ＰＬＬ部が１つしかない場合でも、親画面以外の画面に表示するチャンネルとＰＬＬ同期をとっても構わない。例えば、図１３のテレビ画面７０のような画面が表示されており、親画面７１には、文字放送の番組が表示されている場合、親画面７１の映像のリップシンクをとる必要はない。そのような場合には、子画面７２にハイビジョン放送の番組が表示されているとき、子画面７２に表示されているチャンネルとＰＬＬ同期をとり、そのＡＶデータをＡＶ同期をとりながらデコードする方がよい。要するに、画質が要求されるチャンネルのＡＶデータに、ＰＬＬ同期やＡＶ同期をとることを優先させるようにしても構わない。
【０２９９】
さらに、本実施の形態では、図１６に示すようなＰＬＬ部を、第１〜１０の各実施の形態で説明したＰＬＬ部として使用するとして説明したが、これに限らない。これ以外のＰＬＬ部を使用しても構わない。
【０３００】
さらに、第１〜１０の実施の形態のＰＣＲ抽出部と時分割ＰＣＲ抽出部とが混在するような構成も本発明に属する。例えば、親画面に表示するチャンネルについては、常時１個のＰＣＲ抽出手段がＡＶデータのＰＣＲを抽出し、子画面に表示する全てのチャンネルについては、時分割ＰＣＲ抽出部がＰＣＲを抽出する構成をとることが出来る。
【０３０１】
さらに、本発明のマルチチャンネル表示用データ作成装置の全部または一部の各手段の全部または一部の機能をハードウェアで実現しても構わないし、コンピュータのプログラムを用いてソフトウェア的に実現しても構わない。
【０３０２】
さらに、本発明のマルチチャンネル表示用データ作成装置の全部または一部の手段の全部または一部の機能をコンピュータにより実行させるためのプログラム及び／またはデータを担持した媒体であって、コンピュータにより処理可能なことを特徴とする媒体も発明に属する。
【０３０４】
さらに、発明のデータとは、データ構造、データフォーマット、データの種類などを含む。また、発明の媒体とは、ＲＯＭ等の記録媒体、インターネット等の伝送媒体、光・電波・音波等の伝送媒体を含む。また、発明の担持した媒体とは、例えば、プログラム及び／またはデータを記録した記録媒体、やプログラム及び／またはデータを伝送する伝送媒体等を含む。また、発明のコンピュータにより処理可能とは、例えば、ＲＯＭなどの記録媒体の場合であれば、コンピュータにより読みとり可能であることであり、伝送媒体の場合であれば、伝送対象となるプログラム及び／またはデータが伝送の結果として、コンピュータにより取り扱えることであることを含む。
【０３０５】
さらに、上記実施の形態のいずれかに記載のＳＴＢの全部または一部の手段の全部または一部の機能をコンピュータにより実行させるためのプログラム及び／またはデータを記録したプログラム記録媒体は、コンピュータにより読み取り可能であり、読み取られた前記プログラム及び／またはデータが前記コンピュータと協動して前記機能を実行するプログラム記録媒体であっても良い。
【０３０６】
【発明の効果】
以上説明したところから明らかなように、本発明は、回路規模が小さいマルチチャンネル表示用データ作成装置を提供することが出来る。
【図面の簡単な説明】
【図１】本発明の第１の実施の形態におけるＳＴＢの構成を示すブロック図
【図２】本発明の第２の実施の形態におけるＳＴＢの構成を示すブロック図
【図３】本発明の第３の実施の形態におけるＳＴＢの構成を示すブロック図
【図４】本発明の第４の実施の形態におけるＳＴＢの構成を示すブロック図
【図５】本発明の第５の実施の形態におけるＳＴＢの構成を示すブロック図
【図６】本発明の第６の実施の形態におけるＳＴＢの構成を示すブロック図
【図７】本発明の第７の実施の形態におけるＳＴＢの構成を示すブロック図
【図８】本発明の第８の実施の形態におけるＳＴＢの構成を示すブロック図
【図９】本発明の第９の実施の形態におけるＳＴＢの構成を示すブロック図
【図１０】本発明の第１０の実施の形態におけるＳＴＢの構成を示すブロック図
【図１１】本発明の第１〜１０の実施の形態におけるリモコンの例を示す図
【図１２】本発明の第１〜１０の実施の形態におけるテレビ画面の例を示す図
【図１３】本発明の第１〜１０の実施の形態におけるテレビ画面の例を示す図
【図１４】本発明の第１〜１０の実施の形態におけるテレビ画面の例を示す図
【図１５】本発明の第１〜１０の実施の形態におけるテレビ画面の例を示す図
【図１６】本発明の第１１の実施の形態におけるＰＬＬ部の構成を示すブロック図
【図１７】従来のマルチチャンネル表示用データを作成するＳＴＢの構成を示すブロック図
【図１８】従来のテレビ画面の例を示す図
【符号の説明】
２  ＩＥＥＥ１３９４バス
３  ＩＥＥＥ１３９４バス
４  ＢＳチューナ
５  ＩＥＥＥ１３９４インターフェース
６  アンテナ
７  ＣＳチューナ
８  ＤＶＨＳ
１１  ＰＣＲ抽出部
１１ａ〜ｄ  ＰＣＲ抽出部
１２  ＰＬＬ部
１２ａ〜ｄ  ＰＬＬ部
１３  ＳＴＣカウンタ
１３ａ〜ｄ  ＳＴＣカウンタ
１４  時分割ＰＣＲ抽出部
３０  ＳＴＢ
３１  トランスポートデコーダ
３２  ＡＶデコーダ
３４  トランスポートデコーダ
３５  ＡＶデコーダ
３３  ＳＴＢ
【図１】
0004723715.tif 000002
【図２】
0004723715.tif 000003
【図３】
0004723715.tif 000004
【図４】
0004723715.tif 000005
【図５】
0004723715.tif 000006
【図６】
0004723715.tif 000007
【図７】
0004723715.tif 000008
【図８】
0004723715.tif 000009
【図９】
0004723715.tif 000010
【図１０】
0004723715.tif 000011
【図１１】
0004723715.tif 000012
【図１２】
0004723715.tif 000013
【図１３】
0004723715.tif 000014
【図１４】
0004723715.tif 000015
【図１５】
0004723715.tif 000016
【図１６】
0004723715.tif 000017
【図１７】
0004723715.tif 000018
【図１８】
0004723715.tif 000019